(57)【要約】  本発明は、患者の自宅から遠く離れて健康及びセキュリティを管理することを容易にする方法及び装置に関する。装置は、ビデオを含めて、患者が遠隔監視センタと通信することを可能にする通信デバイスを提供する。セキュリティ監視構成は、パーソナルアラームのようなホームセキュリティを監視することを可能にする。健康監視構成は、バイタルサイン及び他の健康のサインを監視することを可能にする。患者は、医者及び看護師のような保健衛生の専門家と通信し得る。【選択図】    図１
2015527095.tif 000002
【特許請求の範囲】
【請求項１】
患者の健康及びセキュリティの管理を容易にする健康及びセキュリティ管理装置であって、
前記健康及びセキュリティ管理装置は、
前記患者の住居と、前記患者が遠隔監視され得る遠隔位置との間において通信するための通信デバイスと、
患者の健康についての健康データを取得するように構成されている健康監視構成と、
ここで、前記通信デバイスは、前記健康データを遠隔位置へ通信するように構成されている、
前記患者のセキュリティについてのセキュリティデータを取得するように構成されているセキュリティ監視構成と、
ここで、前記通信デバイスは、前記セキュリティデータを前記遠隔位置へ通信するように構成されている、
を具備する、健康及びセキュリティ管理装置。
【請求項２】
前記健康監視構成は、患者の健康パラメータを監視するように構成されているセンサから、データを受信するように構成されている、請求項１に記載の健康及びセキュリティ管理装置。
【請求項３】
前記セキュリティ監視構成は、非常時の状況が起きた場合に前記患者によって作動されるように構成されているパーソナルアラームデバイスから信号を受信するように構成されており、
前記通信デバイスは、処置のために、アラームを前記遠隔位置へ通信するように構成されている、請求項１又は２に記載の健康及びセキュリティ管理装置。
【請求項４】
前記セキュリティ監視構成は、ホームセキュリティアラームから信号を受信するように構成されており、
前記通信デバイスは、アラームを前記遠隔位置へ通信するように構成されている、請求項１、２、又は３に記載の健康及びセキュリティ管理装置。
【請求項５】
自宅におけるデバイスの制御を容易にするように構成されている、ホームオートメーション構成を具備する、請求項１乃至４の何れか１項に記載の健康及びセキュリティ管理装置。
【請求項６】
前記ホームオートメーション構成は、自宅におけるデバイスを制御する制御デバイス及び制御センサとインターフェイスするように構成されている、請求項５に記載の健康及びセキュリティ管理装置。
【請求項７】
前記ホームオートメーション構成は、前記遠隔位置から制御されるように構成されている、請求項５又は６に記載の健康及びセキュリティ管理装置。
【請求項８】
前記患者による前記健康及びセキュリティ管理装置の制御を可能にする患者インターフェイスを具備し、
前記患者インターフェイスは、前記患者が遠隔通信することを可能にするように構成されている通信インターフェイスを具備する、請求項１乃至７の何れか１項に記載の健康及びセキュリティ管理装置。
【請求項９】
ポータブルユニットとドックユニットとを具備し、
前記ポータブルユニットは、前記ドックユニットとドッキングされるように構成されている、請求項１乃至８の何れか１項に記載の健康及びセキュリティ管理装置。
【請求項１０】
前記ポータブルユニットは、タッチスクリーンの形態をとったスクリーンインターフェイスを具備する、請求項９に記載の健康及びセキュリティ管理装置。
【請求項１１】
前記ドックユニットは、前記患者によって利用し易いように、前記ポータブルユニットを直立した位置で支えるように構成されている、請求項９又は１０に記載の健康及びセキュリティ管理装置。
【請求項１２】
前記ドックユニットは、
前記ポータブルユニットのオーディオ構成と比較して高度な機能の、スピーカ及びマイクロフォンを備えた高度なオーディオ構成、
を具備する、請求項９、１０、又は１１に記載の健康及びセキュリティ管理装置。
【請求項１３】
前記ドックユニットは、電源を具備しており、
前記電源は、前記ポータブルユニット及びドックユニットがドッキングされた場合に、前記ポータブルユニットの電源を再充電するように構成されている、請求項９乃至１２の何れか１項に記載の健康及びセキュリティ管理装置。
【請求項１４】
前記ドックユニットは、
老人の又は衰弱した患者にとって比較的に操作し易い比較的に大きなボタンの形態をとった複数のインターフェイス要素、
を具備する、請求項９乃至１３の何れか１項に記載の健康及びセキュリティ管理装置。
【請求項１５】
ポータブル電話の形態をとった更なるポータブルユニットを具備する、請求項７乃至１２の何れか１項に記載の健康及びセキュリティ管理装置。
【請求項１６】
前記通信デバイスは、異なる経路による通信を可能にする複数の通信モジュールを具備する、請求項１乃至１５の何れか１項に記載の健康及びセキュリティ管理装置。
【請求項１７】
複数の利用可能な通信経路のうちの任意の１つの通信経路がデータを通信するために動作していない場合に、前記通信デバイスは、前記複数の利用可能な通信経路のうちの異なる通信経路を試みるように構成されている、請求項１６に記載の健康及びセキュリティ管理装置。
【請求項１８】
遠隔位置における患者の健康及びセキュリティの管理を容易にする監視システムであって、
請求項１乃至１７の何れか１項に記載の健康及びセキュリティ管理装置と通信する監視通信システムを具備しており、
患者の健康についての健康データと、前記患者のセキュリティについてのセキュリティデータと、を受信するように構成されている、監視システム。
【請求項１９】
前記健康及びセキュリティ管理装置の遠隔制御のために制御データを提供するように構成されている、請求項１８に記載の監視システム。
【請求項２０】
患者に関する医療情報と、患者との医療介護者のアポイントメントのような監理情報と、のログをとることを可能にする、医療専門家監理システム、を更に具備する、請求項１８又は１９に記載の監視システム。
【請求項２１】
介護される患者に関係する情報と、前記医療介護者によって実行されるタスクとを記憶する、前記監視システムによってホストされる監理データベース、を更に具備する、請求項２０に記載の監視システム。
【請求項２２】
複数の異なる位置における患者の健康及びセキュリティの管理のために構成されている健康管理システムであって、
請求項１乃至１７の何れか１項に記載の健康及びセキュリティ管理装置と、
請求項１８乃至２１の何れか１項に記載の監視システムと、
を具備する、健康管理システム。
【請求項２３】
患者の健康及びセキュリティの管理を容易にする健康及びセキュリティ管理装置であって、
前記健康及びセキュリティ管理装置は、
患者によって持ち運ばれるように構成されているポータブルユニットと、
ドックユニットと、
を具備し、
前記ポータブルユニットとドックユニットは、一緒にドッキングされるように構成されている、健康及びセキュリティ管理装置。
【請求項２４】
前記患者が遠隔監視され得る遠隔位置へ、健康データとセキュリティデータとを通信するように構成されている通信デバイスを具備する、請求項２３に記載の健康及びセキュリティ管理装置。
【請求項２５】
患者の住居における前記患者の健康及びセキュリティの管理を容易にする方法であって、
患者の健康についての健康データと、患者のセキュリティについてのセキュリティデータとを、同じシステムを介して遠隔位置へ通信するステップ、
を具備する、方法。
【請求項２６】
患者に対する、健康及びホームオートメーションの管理を容易にする、健康及びホームオートメーション管理装置であって、
患者の住居と、前記患者が遠隔監視され得る遠隔位置との間における通信のための通信デバイスと、
患者の健康についての健康データを取得するように構成されている健康監視構成と、
ここで、前記通信デバイスは、前記健康データを前記遠隔位置へ通信するように構成されている、
自宅におけるデバイスの制御を容易にするように構成されているホームオートメーション構成と、
を具備する、健康及びホームオートメーション管理装置。
【請求項２７】
患者に対する、セキュリティ及びホームオートメーションの管理を容易にする、セキュリティ及びホームオートメーション管理装置であって、
前記患者が遠隔監視され得る遠隔位置と、患者の住居と、の間における通信のための通信デバイスと、
患者のセキュリティについてのセキュリティデータを取得するように構成されているセキュリティ監視構成と、
ここで、前記通信デバイスは、前記セキュリティデータを前記遠隔位置へ通信するように構成されている、
自宅におけるデバイスの制御を容易にするように構成されているホームオートメーション構成と、
を具備する、セキュリティ及びホームオートメーション管理装置。
【発明の詳細な説明】
【技術分野】
【０００１】
本発明は、健康及びセキュリティの管理を容易にする方法及び装置に関し、特に、在宅患者に対する健康及びセキュリティの遠隔管理を容易にする方法及び装置に関するが、これに限定されない。
【背景技術】
【０００２】
健康管理（health management）は、従来より病院のような施設で行なわれてきた。しかしながら、特に、高齢化する人口統計がある先進国では、今日、人々を彼らの自宅で管理することに対して、上昇傾向がある。在宅介護（home care）は、コミュニティにおける介護を提供する機関によって容易にされ得る。これは、在宅患者を訪問するコミュニティの看護師（community nurse）のような医療専門家を提供することによって達成され得る。
【０００３】
更に、特に、老齢者と、衰弱した者と、障害者とに対して、自宅においてパーソナルセキュリティを容易にする技術を使用することが知られている。彼らが心配な状況にある場合に、人が遠隔オペレータに知らせることを可能にするために、「パーソナルアラーム」デバイスが利用可能である。例えば、彼らが倒れて怪我をすることがあり、(着用可能なデバイスであり得る)彼らのアラームデバイスを作動させることによって、彼らは遠隔オペレータに知らせ得る。
【０００４】
このようなパーソナル非常時応答システム(personal emergency response system, PERS)は、ＰＥＲＳ機能のために特別に設計されたハードウェアを使用して実施され、自宅／住居における任意の他のセキュリティシステム又は任意の他のシステムから通常分かれている。５０万台程度のＰＥＲＳが現在オーストラリアにあり、各々は、目的に合うように設計されたハードウェアとソフトウェアとを有する。
【０００５】
一般に、ヘルスケア問題の管理(例えば血圧のような健康パラメータの監視)は、コミュニティの看護師による患者の住居への訪問のような、保健衛生の専門家（health professional）との定期的な対話に頼っている。
【０００６】
従って、いわゆる「テレヘルスケア（tele health care）」技術は、遠隔から治療を容易にするために、幾つかのエリアにおいて発展した。このようなシステムは一般に、主要な技術系企業の起源（provenance）であるが、例えば病院での手術を遠隔位置から外科医が取り仕切ることができるように、遠隔外科手術を容易にすることのような、特に、「高性能（high end）」の健康アプリケーションのために設計された。これらのテレヘルスケアシステムは、複雑で費用がかかる。ヘルスケアサービスを遠隔から行なうことができ、患者を、施設に入れなければならないのではなく、彼らの自宅で維持することができるように、患者のコミュニティの住居におけるヘルスケアを容易にするために、満足のいくようなシステムは開発されていない。
【０００７】
健康管理又はセキュリティのような技術を自宅の環境で実施する場合に解決すべき問題は、老人、衰弱した人々、障害のある人々が「最新の」コンピューティング技術の使用に慣れていないかもしれないということである。特に、彼らは、コンピューティングインターフェイスが扱い難く複雑であると感じているかもしれない。
【発明の概要】
【０００８】
第１の態様によると、本発明は、患者の健康及びセキュリティの管理を容易にする健康及びセキュリティ管理装置であって、健康及びセキュリティ管理装置は、患者の住居と、患者が遠隔監視され得る遠隔位置との間において通信するための通信デバイスと、患者の健康についての健康データを取得するように構成されている健康監視構成と、ここで、通信デバイスは、健康データを遠隔位置へ通信するように構成されている、患者のセキュリティについてのセキュリティデータを取得するように構成されているセキュリティ監視構成と、ここで、通信デバイスは、セキュリティデータを遠隔位置へ通信するように構成されている、を具備する、健康及びセキュリティ管理装置を提供する。
【０００９】
実施形態において、健康監視構成は、患者の健康パラメータを監視するように構成されているセンサから、データを受信するように構成され得る。このようなセンサは、血圧センサと、心拍数モニタと、他のセンサとを含み得る。健康監視構成は、センサによって生成された健康データを取得するように構成されており、通信デバイスは、患者のパラメータの遠隔監視のために、データを遠隔位置へ送信するように構成されている。遠隔に位置する医療専門家は、監視されているパラメータから患者の健康を決定し、必要な任意の処置を取ることができ得る。
【００１０】
セキュリティ監視構成は、非常時の状況が起きた場合に患者が作動し得るパーソナルアラームデバイス（ｓ）から信号を受信するように構成され得る。セキュリティ監視構成は、遠隔位置へ通信するためのセキュリティデータを提供し得る。例えば、遠隔位置における職員が適切な処置を取るために、アラームを遠隔位置へ通信することができる。
【００１１】
実施形態において、セキュリティ監視構成は、例えば自宅に許可なく入ること、に対して作動され得るホームセキュリティアラーム（ｓ）と、煙アラームと、洪水アラームと、他のセキュリティ監視装置とから、信号を受信するように構成され得る。それに応じて、セキュリティデータが遠隔位置に提供され得る。
【００１２】
従って、本発明の少なくとも１つの実施形態の健康及びセキュリティ管理装置は、それが、患者のセキュリティの監視と健康パラメータの監視とを単一のシステムに集束させるという利点を有する。従って、患者のセキュリティ及び健康を、彼らの自宅から遠く離れて監視することができる。都合の良いことに、これは、患者のセキュリティを維持し、要求された場合にアラームが遠隔に伝えられることを可能にするばかりでなく、血圧のような慣例的な健康パラメータの測定値を取るための医療専門家による訪問の必要を減らし得る。都合の良いことに、ＰＥＲＳシステムのような、特定の機能を行なう、住居に現在存在するシステムは、患者の健康及びセキュリティに対する全ての機能を行なうために、単一の、総体的な（holistic）健康及びセキュリティ装置によって置き換えられ得る。
【００１３】
患者の住居は、家庭の住居（domestic residence）であってもよく、又は患者の複合施設における集合住宅のような居住介護（residential care）であってもよい。例えば、退職者用ホーム（retirement home）である。これは、任意の他の患者用住居（patient residence）であってもよい。
【００１４】
実施形態において、管理装置は、患者インターフェイスを具備し、患者による装置の制御を可能にする。実施形態において、患者インターフェイスは、患者が遠隔通信することを可能にするように構成されている通信インターフェイスを具備する。患者は、患者通信インターフェイスを介して、健康パラメータと、健康問題と、任意の他の情報とについて、彼らにアドバイスする医療専門家と通信し得る。更に、医療専門家から情報を受信する。実施形態では、患者通信インターフェイスは、オーディオ及びビデオのインターフェイスを具備する。
【００１５】
実施形態において、管理装置は、洗濯機と、テレビジョンと、冷蔵庫と、エアコンディショニングと、他のものとのような、自宅におけるデバイスの制御を容易にするように構成された、ホームオートメーション構成を具備する。ホームオートメーション構成は、自宅におけるデバイスを制御する制御デバイス及び制御センサとインターフェイスするように構成され得る。従って、この実施形態における管理装置は、ホームオートメーションのために使用でき、患者の健康の監視と、健康パラメータの遠隔監視と、セキュリティとのために、遠隔位置と遠隔通信する、単一の監視システム、例えばパーソナル非常時応答システムを提供する。実施形態において、ホームオートメーション構成は、遠隔位置から操作されるように構成され得る。職員は、遠隔位置から、例えば、患者の住居における照明、暖房、及び他のシステム／デバイスを制御できる。
【００１６】
実施形態において、管理装置は、患者によって持ち運ばれるように構成されているポータブルユニットと、ドックユニットとを具備する。ポータブルユニットは、ドックユニットとドッキングされるように構成されている。
【００１７】
実施形態において、ポータブルユニットとドックユニットは、物理的にドッキングされるように構成されている。
【００１８】
実施形態において、ポータブルユニットは、スクリーンインターフェイスを含む。これはタッチスクリーンであり得る。タッチスクリーンは、ビデオをレンダリングすることができ得る。実施形態において、ドックは、患者によって利用し易いように直立した位置でポータブルユニットを支えるように構成されている。
【００１９】
実施形態において、患者通信インターフェイスのビデオインターフェイスは、ポータブルデバイスのビデオ／タッチスクリーンを介する。ポータブルデバイスは、オーディオインターフェイスを可能にするオーディオ構成を更に含み得る。実施形態において、ドックは、スピーカ及びマイクロフォンを具備するオーディオ構成を含み得る。実施形態において、ドックのオーディオ構成は、ポータブルデバイスのオーディオ構成と比較して、高度な構成であり得る。従って、ドックは、患者による使用のために、より良いオーディオ設備を提供し得る。実施形態において、ドックは、高度なオーディオのニーズを有する人々の要求を満たす高度なオーディオ設備を実施するために使用することができる。例えば、高齢の患者は、聴力に関する問題を有しているかもしれず、これは、例えば標準のタブレットコンピューティングデバイスにおいて見出され得る標準のオーディオインターフェイスでは要求が満たされない。高度なオーディオ設備をドックに備えることで、この問題に対処する。
【００２０】
実施形態において、通信デバイスは、ポータブルデバイス及びドックにおいて、１つ以上の通信モジュールを具備し得る。通信の冗長性を可能にするために、通信モジュールは、複数の異なる通信設備の要求を満たし得る。これは、ＰＥＲＳのような非常時応答システムにおいて特に重要である。実施形態において、通信モジュールは、モバイル通信(例えば、ＧＳＭ（登録商標）)と、インターネットを介した通信と、ＳＭＳ通信と、他のものとを可能にして、遠隔位置への通信の冗長性を可能にし、任意のパーソナル応答アラームが送信されることを保証し得る。実施形態において、通信モジュールは、ポータブルデバイスとドックとの間、及び更に、住居におけるセンサ／制御デバイスと管理装置との間、における通信をローカルに可能にするために、ワイファイ設備とブルートゥース（登録商標）とを含み得る。
【００２１】
実施形態において、ドックユニットとポータブルユニットとの両者は、電子デバイスであり、機能するために電力を必要とする。実施形態において、ポータブルユニットは、ポータブルユニットがドックユニットと接続されたときに再充電される蓄電池（rechargeable battery）を含んでいる。実施形態において、電源が故障した場合に備えて、ドックユニットは大容量のバッテリバックアップを含んでいる。実施形態において、ドックユニットは、主電源に接続されるように構成されており、ポータブルユニットが接続された場合に、ポータブルユニットのバッテリは主電源から充電することができる。更に、ドックの大容量のバッテリバックアップは、主電源から充電することができる。実施形態において、大容量のバッテリは、非常時システムのための電力供給に関する関連管轄区域標準を満たす十分な容量である。
【００２２】
実施形態において、患者インターフェイスは、ポータブルユニット上のタッチスクリーンと、ポータブルユニットにおける適切に構成されたプロセッサによって提供されるタッチスクリーンインターフェイスと、を含む。実施形態において、ドックは、患者インターフェイスの一部を形成している複数のユーザインターフェイス要素を搭載している。ユーザインターフェイス要素は、押しボタン又はタッチボタンであり得る。
【００２３】
実施形態において、ボタンのうちの１つ以上のボタンの機能は、患者によって及び／又は医療専門家によって構成可能である。実施形態において、１つ以上のボタンは遠隔位置から構成され得る。
【００２４】
都合の良いことに、特定の機能のために構成されることができる、押しボタンのような、単純なインターフェイス要素を有する患者通信インターフェイスを提供することは、高齢の、衰弱した、又は障害のある患者による使用のし易さを促進する。インターフェイス要素は、操作し易いサイズを有し得る。例えば、要素が押しボタンである場合に、標準のキーボード、例えばコンピュータのキーボード上の標準の押しボタンよりも、それらは比較的に大きくてもよい。
【００２５】
実施形態において、ポータブルユニットはタブレットコンピューティングデバイスである。
【００２６】
実施形態において、健康及びセキュリティ管理装置は、更なるポータブルユニットを具備する。実施形態において、更なるポータブルユニットは、ワイヤレス電話のような電話である。電話は、特に高齢の患者によく知られているインターフェイスである。更に、健康及びセキュリティ管理装置と、それによって利用可能にされた通信デバイスとを介して電話サービスを提供することは、個別の電話サービスを有する必要を回避する。都合の良いことに、全ての通信と、健康及びセキュリティ管理サービスと、インターネット及びテレビジョン（ｔｖ）のような他のサービスは、健康及びセキュリティ管理装置によって提供され得る。実施形態において、電話は、ブルートゥース（登録商標）のようなローカルのワイヤレスを介して、ポータブルユニットと通信し得る。通信デバイスは、電話から、陸線、モバイル電話、又は他の遠隔通信ネットワークのような遠隔通信ネットワークを介する通信をルート付けする（enroute）であろう。
【００２７】
実施形態において、健康及びセキュリティ管理装置は、遠隔位置における監視システムとデータを通信するように構成されている。監視システムは、健康及びセキュリティ管理装置との通信を容易にするために、通信ゲートウエイを備えた適切に構成されたコンピューティングシステムを具備し得る。実施形態において、複数の患者を監視することができるように、監視システムは、複数の健康及びセキュリティ管理装置と通信するように構成されている。
【００２８】
実施形態において、監視システムは、医療介護者デバイスとの通信のために構成されている、医療介護者監理システム（medical carer administrative system）を更に提供し得る。医療介護者デバイスは、適切に構成されたタブレットコンピュータ又はスマートフォンであってもよく、これは、医療介護者が、患者に関する医療情報を入力すること、及び／又は、患者とのアポイントメントと、患者の位置と、他の患者関連情報とのような医療情報を受信及び入力することを可能にする。
【００２９】
実施形態において、健康及びセキュリティ管理装置は、複数の患者による操作のために構成され得る。１つの実施形態において、例えば、夫と妻のような家族は、単一のセキュリティ管理装置を有し得る。例えば、彼らの健康パラメータ及びＰＥＲＳシステムを分割することができるように、彼らは装置に対して個別の「ログイン」を有し得る。セキュリティアラームとホームオートメーションは、分割する必要がないかもしれない。
【００３０】
別の実施形態において、健康及びセキュリティ管理装置は、多くの人々による操作のために構成され得る。例えば、装置は、コミュニティ又は退職者のビレッジのコミュニティセンタに配置され得る。これは、退職者のビレッジのメンバによってアクセスされ得る。例えば健康及びセキュリティ管理装置の「キオスク」を介して、彼らの健康パラメータを個別に管理することができるように、各々は個別のログインを有し得る。
【００３１】
第２の態様によると、本発明は、遠隔位置における患者の健康及びセキュリティの管理を容易にする監視システムであって、本発明の第１の態様に従って健康及びセキュリティ管理装置と通信する監視通信システムを具備しており、患者の健康についての健康データと、患者のセキュリティについてのセキュリティデータと、を受信するように構成されている、監視システムを提供する。
【００３２】
実施形態において、監視システムは、管理装置の遠隔制御のための制御データを提供するように構成されている。実施形態において、管理装置がホームオートメーションのために構成されている場合に、患者のホームシステムの遠隔制御のために、監視システムから制御データが提供され得る。例えば、ドアロックが遠隔制御されてもよく、ライトが遠隔制御されてもよく、ヒータが遠隔制御されてもよい。ホームオートメーションシステムに接続されている任意のものが、監視システムから遠隔制御され得る。人が、例えば障害がある又は衰弱していて、彼ら自身で制御を扱うことが困難である場合に、或いは患者が非常時の状況にある場合に、これは、都合の良いことにホームシステムの制御を可能にする。
【００３３】
実施形態において、監視システムは、患者に関する医療情報と、患者との医療介護者のアポイントメントのような監理情報と、のログをとることを可能にする、医療専門家監理システム、を更に具備する。
【００３４】
実施形態において、医療介護者監理システムは、介護される患者に関係する情報と、医療介護者によって実行されるタスクとを記憶する、監視システムによってホストされる監理データベース、を更に具備する。
【００３５】
第３の態様によると、本発明は、複数の異なる位置における患者の健康及びセキュリティの管理のために構成されている健康管理システムであって、本発明の第１の態様に従う健康及びセキュリティ管理装置と、本発明の第２の態様に従う監視システムと、を具備する、健康管理システムを提供する。
【００３６】
第４の態様によると、本発明は、患者の健康及びセキュリティの管理を容易にする健康及びセキュリティ管理装置であって、健康及びセキュリティ管理装置は、患者によって持ち運ばれるように構成されているポータブルユニットと、ドックユニットと、を具備し、ポータブルユニットとドックユニットは、一緒にドッキングされるように構成されている、健康及びセキュリティ管理装置を提供する。
【００３７】
実施形態において、管理装置は、患者が遠隔監視され得る遠隔位置へ、健康データとセキュリティデータとを通信するように構成されている通信デバイス（ｓ）を具備する。
【００３８】
第５の態様によると、本発明は、本発明の第２の態様に従って監視システムを実施するようにコンピュータに命令する命令を具備する、コンピュータプログラムを提供する。
【００３９】
第６の態様によると、本発明は、本発明の第５の態様に従ってコンピュータプログラムを提供するコンピュータ読み出し可能媒体を具備する。
【００４０】
第７の態様によると、本発明は、本発明の第５の態様に従ってコンピュータプログラムを具備するデータ信号を提供する。
【００４１】
第８の態様によると、本発明は、本発明の第１の態様に従って健康及びセキュリティ管理装置を実施するようにコンピューティング装置に命令する命令を具備するコンピュータプログラムを提供する。
【００４２】
第９の態様によると、本発明は、本発明の第８の態様に従ってコンピュータプログラムを提供するコンピュータ読み出し可能媒体を具備する。
【００４３】
第１０の態様によると、本発明は、本発明の第８の態様に従ってコンピュータプログラムを具備するデータ信号を提供する。
【００４４】
第１１の態様によると、本発明は、患者の住居における患者の健康及びセキュリティの管理を容易にする方法であって、患者の健康についての健康データと、患者のセキュリティについてのセキュリティデータとを、同じシステムを介して、遠隔位置へ通信するステップ、を具備する方法を提供する。
【００４５】
第１２の態様によると、本発明は、患者の住居における患者の健康及びセキュリティの管理を容易にする方法であって、患者のパーソナルセキュリティの処理と、患者の健康データの処理とを集束させ、単一の集束システムによってそれらを扱うステップを具備する、方法を提供する。
【００４６】
第１３の態様によると、本発明は、患者に対する、健康及びホームオートメーションの管理を容易にする、健康及びホームオートメーション管理装置であって、患者の住居と、患者が遠隔監視され得る遠隔位置との間における通信のための通信デバイスと、患者の健康についての健康データを取得するように構成されている健康監視構成と、ここで、通信デバイスは、健康データを遠隔位置へ通信するように構成されている、自宅におけるデバイスの制御を容易にするように構成されているホームオートメーション構成と、を具備する、健康及びホームオートメーション管理装置を提供する。
【００４７】
実施形態において、ホームオートメーション構成は、遠隔位置から操作されるように構成され得る。
【００４８】
本発明のこの態様の少なくともある実施形態の利点は、血圧及び他の医療パラメータの監視のような健康の監視とホームオートメーションが単一のシステムに集束されることである。
【００４９】
第１４の態様によると、本発明は、本発明の第１３の態様に従って健康及びホームオートメーションの管理装置を実施するコンピューティング装置を制御する命令を具備する、コンピュータプログラムを提供する。
【００５０】
第１５の態様によると、本発明は、本発明の第１４の態様に従うコンピュータプログラムを提供する、コンピュータ読み出し可能媒体を具備する。
【００５１】
第１６の態様によると、本発明は、本発明の第１４の態様に従うコンピュータプログラムを具備する、データ信号を提供する。
【００５２】
第１７の態様によると、本発明は、患者に対する、セキュリティ及びホームオートメーションの管理を容易にする、セキュリティ及びホームオートメーション管理装置であって、患者が遠隔監視され得る遠隔位置と、患者の住居と、の間における通信のための通信デバイスと、患者のセキュリティについてのセキュリティデータを取得するように構成されているセキュリティ監視構成と、ここで、通信デバイスは、セキュリティデータを遠隔位置へ通信するように構成されている、自宅におけるデバイスの制御を容易にするように構成されているホームオートメーション構成と、を具備する、セキュリティ及びホームオートメーション管理装置を提供する。
【００５３】
実施形態において、ホームオートメーション構成は、遠隔位置から操作されるように構成され得る。
【００５４】
実施形態において、セキュリティ監視構成は、パーソナルアラームデバイス（personal alarm device, PERS）から信号を受信するように構成され得る。実施形態において、セキュリティ監視構成は、ホームセキュリティアラーム（ｓ）から信号を受信するように構成され得る。
【００５５】
第１８の態様によると、本発明は、本発明の第１７の態様に従うセキュリティ及びホームオートメーション装置を実施するためにコンピューティング装置を制御する命令を具備する、コンピュータプログラムを提供する。
【００５６】
第１９の態様によると、本発明は、本発明の第１８の態様に従うコンピュータプログラムを提供する、コンピュータ読み出し可能媒体を提供する。
【００５７】
第２１の態様によると、本発明は、本発明の第１８の態様に従うコンピュータプログラムを具備する、データ信号を提供する。
【００５８】
本発明の特徴及び利点は、単に一例としての、その実施形態の以下の記述から、添付の図面を参照して明らかになるであろう。
【図面の簡単な説明】
【００５９】
【図１】図１は、本発明の実施形態に従う健康及びセキュリティ監視システムを示す概略図である。
【図２】図２は、本発明の実施形態に従う健康及びセキュリティ管理装置の概略的なブロック図である。
【図３】図３は、図２の管理装置の更なる概略図である。
【図４】図４は、図２の管理装置の別の更なる概略図である。
【図５】図５は、本発明の実施形態に従う管理装置の図である。
【図６】図６は、本発明の実施形態に従う管理装置の図である。
【図７】図７は、本発明の実施形態に従う管理装置の図である。
【図８】図８は、本発明の実施形態に従う管理装置の図である。
【図９】図９は、本発明の実施形態に従う管理装置の図である。
【図１０】図１０は、本発明の実施形態に従う管理装置の図である。
【図１１】図１１は、本発明の実施形態に従う管理装置の図である。
【図１２】図１２は、本発明の実施形態の管理システムの例示的な使用の実施を示すフローチャートである。
【図１３（ａ）】図１３（ａ）は、図１２の使用の実施に対して、本発明の実施形態に従う管理装置によって提供されるインターフェイスの例である。
【図１３（ｂ）】図１３（ｂ）は、図１２の使用の実施に対して、本発明の実施形態に従う管理装置によって提供されるインターフェイスの例である。
【図１３（ｃ）】図１３（ｃ）は、図１２の使用の実施に対して、本発明の実施形態に従う管理装置によって提供されるインターフェイスの例である。
【図１３（ｄ）】図１３（ｄ）は、図１２の使用の実施に対して、本発明の実施形態に従う管理装置によって提供されるインターフェイスの例である。
【図１３（ｅ）】図１３（ｅ）は、図１２の使用の実施に対して、本発明の実施形態に従う管理装置によって提供されるインターフェイスの例である。
【図１４】図１４は、監視システムに対する更なる使用の実施のフローチャートである。
【図１５（ａ）】図１５（ａ）は、図４１の使用の実施に対して、監視システムによって使用又は生成される得るインターフェイスの例である。
【図１５（ｂ）】図１５（ｂ）は、図４１の使用の実施に対して、監視システムによって使用又は生成される得るインターフェイスの例である。
【図１５（ｃ）】図１５（ｃ）は、図４１の使用の実施に対して、監視システムによって使用又は生成される得るインターフェイスの例である。
【図１５（ｄ）】図１５（ｄ）は、図４１の使用の実施に対して、監視システムによって使用又は生成される得るインターフェイスの例である。
【図１５（ｅ）】図１５（ｅ）は、図４１の使用の実施に対して、監視システムによって使用又は生成される得るインターフェイスの例である。
【図１５（ｆ）】図１５（ｆ）は、図４１の使用の実施に対して、監視システムによって使用又は生成される得るインターフェイスの例である。
【図１５（ｇ）】図１５（ｇ）は、図４１の使用の実施に対して、監視システムによって使用又は生成される得るインターフェイスの例である。
【図１６】図１６は、管理システムの更なる使用の実施のフローチャートである。
【図１７（ａ）】図１７（ａ）は、図１６の使用の実施に対して生成される得る管理システムのインターフェイスである。
【図１７（ｂ）】図１７（ｂ）は、図１６の使用の実施に対して生成される得る管理システムのインターフェイスである。
【図１７（ｃ）】図１７（ｃ）は、図１６の使用の実施に対して生成される得る管理システムのインターフェイスである。
【図１８】図１８は、管理システムの更なる使用の実施を示すフローチャートである。
【図１９（ａ）】図１９（ａ）は、図１８の使用の実施に対して、医療介護者装置によって提供され得るインターフェイスである。
【図１９（ｂ）】図１９（ｂ）は、図１８の使用の実施に対して、医療介護者装置によって提供され得るインターフェイスである。
【図１９（ｃ）】図１９（ｃ）は、図１８の使用の実施に対して、医療介護者装置によって提供され得るインターフェイスである。
【図１９（ｄ）】図１９（ｄ）は、図１８の使用の実施に対して、医療介護者装置によって提供され得るインターフェイスである。
【図１９（ｅ）】図１９（ｅ）は、図１８の使用の実施に対して、医療介護者装置によって提供され得るインターフェイスである。
【図１９（ｆ）】図１９（ｆ）は、図１８の使用の実施に対して、医療介護者装置によって提供され得るインターフェイスである。
【図１９（ｇ）】図１９（ｇ）は、図１８の使用の実施に対して、医療介護者装置によって提供され得るインターフェイスである。
【図１９（ｈ）】図１９（ｈ）は、図１８の使用の実施に対して、医療介護者装置によって提供され得るインターフェイスである。
【図１９（ｉ）】図１９（ｉ）は、図１８の使用の実施に対して、医療介護者装置によって提供され得るインターフェイスである。
【図１９（ｊ）】図１９（ｊ）は、図１８の使用の実施に対して、医療介護者装置によって提供され得るインターフェイスである。
【図１９（ｋ）】図１９（ｋ）は、図１８の使用の実施に対して、医療介護者装置によって提供され得るインターフェイスである。
【図１９（ｌ）】図１９（ｌ）は、図１８の使用の実施に対して、医療介護者装置によって提供され得るインターフェイスである。
【図１９（ｍ）】図１９（ｍ）は、図１８の使用の実施に対して、医療介護者装置によって提供され得るインターフェイスである。
【図１９（ｎ）】図１９（ｎ）は、図１８の使用の実施に対して、医療介護者装置によって提供され得るインターフェイスである。
【図１９（ｏ）】図１９（ｏ）は、図１８の使用の実施に対して、医療介護者装置によって提供され得るインターフェイスである。
【図１９（ｐ）】図１９（ｐ）は、図１８の使用の実施に対して、医療介護者装置によって提供され得るインターフェイスである。
【図１９（ｑ）】図１９（ｑ）は、図１８の使用の実施に対して、医療介護者装置によって提供され得るインターフェイスである。
【図１９（ｒ）】図１９（ｒ）は、図１８の使用の実施に対して、医療介護者装置によって提供され得るインターフェイスである。
【図１９（ｓ）】図１９（ｓ）は、図１８の使用の実施に対して、医療介護者装置によって提供され得るインターフェイスである。
【図１９（ｔ）】図１９（ｔ）は、図１８の使用の実施に対して、医療介護者装置によって提供され得るインターフェイスである。
【図１９（ｕ）】図１９（ｕ）は、図１８の使用の実施に対して、医療介護者装置によって提供され得るインターフェイスである。
【図１９（ｖ）】図１９（ｖ）は、図１８の使用の実施に対して、医療介護者装置によって提供され得るインターフェイスである。
【図２０（ａ）】図２０（ａ）は、異なる操作に対して、監視システムの医療介護者装置によって生成される得る更なるインターフェイスである。
【図２０（ｂ）】図２０（ｂ）は、異なる操作に対して、監視システムの医療介護者装置によって生成される得る更なるインターフェイスである。
【図２０（ｃ）】図２０（ｃ）は、異なる操作に対して、監視システムの医療介護者装置によって生成される得る更なるインターフェイスである。
【図２０（ｄ）】図２０（ｄ）は、異なる操作に対して、監視システムの医療介護者装置によって生成される得る更なるインターフェイスである。
【図２０（ｅ）】図２０（ｅ）は、異なる操作に対して、監視システムの医療介護者装置によって生成される得る更なるインターフェイスである。
【図２０（ｆ）】図２０（ｆ）は、異なる操作に対して、監視システムの医療介護者装置によって生成される得る更なるインターフェイスである。
【図２０（ｇ）】図２０（ｇ）は、異なる操作に対して、監視システムの医療介護者装置によって生成される得る更なるインターフェイスである。
【図２０（ｈ）】図２０（ｈ）は、異なる操作に対して、監視システムの医療介護者装置によって生成される得る更なるインターフェイスである。
【図２０（ｉ）】図２０（ｉ）は、異なる操作に対して、監視システムの医療介護者装置によって生成される得る更なるインターフェイスである。
【図２０（ｊ）】図２０（ｊ）は、異なる操作に対して、監視システムの医療介護者装置によって生成される得る更なるインターフェイスである。
【図２０（ｋ）】図２０（ｋ）は、異なる操作に対して、監視システムの医療介護者装置によって生成される得る更なるインターフェイスである。
【図２０（ｌ）】図２０（ｌ）は、異なる操作に対して、監視システムの医療介護者装置によって生成される得る更なるインターフェイスである。
【図２１】図２１は、本発明の実施形態に従う管理装置のインターフェイスの操作を示すサンプルの「スクリーンショット」である。
【図２２】図２２は、本発明の実施形態に従う管理装置のインターフェイスの操作を示すサンプルの「スクリーンショット」である。
【図２３】図２３は、本発明の実施形態に従う管理装置のインターフェイスの操作を示すサンプルの「スクリーンショット」である。
【図２４】図２４は、本発明の実施形態に従う管理装置のインターフェイスの操作を示すサンプルの「スクリーンショット」である。
【図２５（ａ）】図２５（ａ）は、管理装置の実施形態の通信「ウィジェット」の操作を示す更なるサンプルの「スクリーンショット」である。
【図２５（ｂ）】図２５（ｂ）は、管理装置の実施形態の通信「ウィジェット」の操作を示す更なるサンプルの「スクリーンショット」である。
【図２５（ｃ）】図２５（ｃ）は、管理装置の実施形態の通信「ウィジェット」の操作を示す更なるサンプルの「スクリーンショット」である。
【図２５（ｄ）】図２５（ｄ）は、管理装置の実施形態の通信「ウィジェット」の操作を示す更なるサンプルの「スクリーンショット」である。
【図２６】図２６は、本発明の実施形態に従う健康及びセキュリティ管理装置の更なる実施形態の斜視図である。
【図２７】図２７は、図２６の実施形態に対する第１の構成の機能コンポーネントを示すブロック図である。
【図２８】図２８は、図２６の実施形態の第２の構成の機能コンポーネントを示すブロック図である。
【図２９】図２９は、本発明の実施形態に従う管理装置のインターフェイスの操作を示すサンプルの「スクリーンショット」である。
【図３０】図３０は、本発明の実施形態に従う管理装置のインターフェイスの操作を示すサンプルの「スクリーンショット」である。
【図３１】図３１は、本発明の実施形態に従う管理装置のインターフェイスの操作を示すサンプルの「スクリーンショット」である。
【図３２】図３２は、本発明の実施形態に従う管理装置のインターフェイスの操作を示すサンプルの「スクリーンショット」である。
【図３３】図３３は、本発明の実施形態に従う管理装置のインターフェイスの操作を示すサンプルの「スクリーンショット」である。
【図３４】図３４は、本発明の実施形態に従う管理装置のインターフェイスの操作を示すサンプルの「スクリーンショット」である。
【図３５】図３５は、本発明の実施形態に従う管理装置のインターフェイスの操作を示すサンプルの「スクリーンショット」である。
【図３６】図３６は、本発明の実施形態に従う管理装置のインターフェイスの操作を示すサンプルの「スクリーンショット」である。
【図３７】図３７は、本発明の実施形態に従う管理装置のインターフェイスの操作を示すサンプルの「スクリーンショット」である。
【図３８】図３８は、本発明の実施形態に従う管理装置のインターフェイスの操作を示すサンプルの「スクリーンショット」である。
【図３９】図３９は、本発明の実施形態に従う管理装置のインターフェイスの操作を示すサンプルの「スクリーンショット」である。
【図４０】図４０は、本発明の実施形態に従う管理装置のインターフェイスの操作を示すサンプルの「スクリーンショット」である。
【図４１】図４１は、本発明の実施形態に従う管理装置のインターフェイスの操作を示すサンプルの「スクリーンショット」である。
【発明を実施するための形態】
【００６０】
図１を参照すると、患者の健康及びセキュリティの管理を容易にする管理システムが示されており、全体的に参照番号１によって指定されている。
【００６１】
この実施形態において、管理システムは、患者２０の住居で使用するように構成されている健康及びセキュリティ管理装置３を具備し、遠隔監視システム１１との通信のために構成されている通信デバイスを含んでいる。遠隔監視システム１１は、管理システム１の一部分を更に形成している。管理装置３の通信デバイス（ｓ）は、遠隔監視システム１１と健康及びセキュリティのデータを通信するように構成されている。使用の際に、多くの管理装置３が多くの患者の住居に配置され得る。全ての管理装置は、遠隔管理システム１１と通信する。遠隔管理システム１１は、中心のハブ（central hub）５としての役割を果たし、これによって、管理装置３を用いて、患者２０の健康及びセキュリティを監視することができる。この実施形態において、管理装置３は、患者２０との通信のための完全なポータルを具備する。この実施形態において、管理装置３は、健康データ及びセキュリティデータに加えて、自宅におけるシステムを扱うことができ(ホームオートメーション)、更に、電話と、ビデオと、インターネットとによって、患者を彼らのコミュニティに接続する「社会的保健衛生（social health）」ポータルを提供することができる。通信装置３は、使用し易く且つ管理装置の全ての設備にわたって一貫している、一貫したインターフェイスを提供する、単一のアプリケーションプラットフォームによって生成される患者インターフェイスを具備している。
【００６２】
より詳しくは、管理装置３は、（後述でより詳しく記載される）ＧＳＭ５、ワイファイ（WiFi）、ブルートゥース（Bluetooth）（登録商標）のような幾つかの通信設備を含む通信プラットフォームを提供する。インターネット又は他の遠隔通信ネットワーク２への接続ポイントとして、ＡＤＳＬモデム４が提供され得る。他の通信設備も含まれ得る。複数の通信設備(例えば、モバイル)を提供する利点のうちの１つは、通信の冗長性である。設備のうちの１つが適切に動作していない場合に、他の設備のうちの１つが使用され得る(後述を参照)。
【００６３】
動作において、管理装置３は、利用可能な任意の形式の通信、例えば、インターネット、陸線遠隔通信、ＰＯＴＳ(plain old telephone system、単純旧式電話システム)、モバイル(ＧＳＭ)、又は任意の他の通信を介して、遠隔位置１０における監視システム１１と通信するように構成されている。この実施形態において、通信は、好ましくは、（オーストラリアにおけるナショナルブロードバンドネットワークによって提供される)ブロードバンドケーブル接続を介し、及びＧＳＭによる。しかしながら、他の実施形態において、通信接続は、任意の利用可能なインフラストラクチャによるものであってもよい。
【００６４】
通信を監視し、管理装置３に戻る通信を提供するために、監視システム１１が、遠隔位置１０に設けられている。監視システム１１は、多くの患者の住居に配置された多くのこのような管理装置３との通信のために構成され得る。従って、監視システムは、多くの患者に対する健康及びセキュリティの監視をホストする。遠隔監視システム１１は、サーバ１２及びクライアント端末１３のような任意の既知のアーキテクチャのコンピューティング構成を具備し得る。これらを介して、保健衛生職員（health operative）は、監視システム１によって追跡される患者の健康及びセキュリティを監視することができる。
【００６５】
この実施形態において、管理システム１は、医療専門家２２(例えば、看護師)のデバイス２１を更に具備する。これは、医療介護者によって持ち運ばれ、患者に関する医療及び監理情報を受信及び入力するように適切に構成され得る。実施形態において、医療専門家デバイス２１は、適切に構成されたタブレットコンピュータ又はスマートフォンであり得る。
【００６６】
(例えば、コミュニティの看護師であり得る)医療介護者２２は、監視システム１１から又は管理装置３から彼らのデバイス２１を介して通信を受信し、患者２０のために取る必要があり得る処置を医療介護者２２に知らせ得る。
【００６７】
管理装置３は、ヘルスセンサ２４から(ワイファイ、ブルートゥース（登録商標）、又は他のローカル通信設備によって)信号を受信するように構成されている。ヘルスセンサ２４は、心拍数モニタと、血圧センサと、任意の他のヘルスセンサとを含み得る。管理装置は、この健康データを取得し、監視システム１１へ通信する。更に、健康データは、監視システム１１へ送信するために、患者インターフェイスを介して管理装置３に入力され得る。
【００６８】
管理装置３は、盗難アラームと、煙アラームと、他のセキュリティセンサとのような、セキュリティセンサ４、５からデータを受信するように更に構成されている。管理装置３は、セキュリティデータを遠隔監視システム１１上へ送信するように構成されている。
【００６９】
管理装置２は、着用可能なパーソナルアラーム２３のようなパーソナルアラームから、信号を受信するように更に構成されている。管理装置３の患者インターフェイスは、患者アラームインターフェイス(例えば、アラームボタン、又はタッチパッド、又はタッチスクリーンインターフェイス)を更に具備する。患者は、患者アラームインターフェイスにおいて、アラームについて監視装置３に知らせ、アラームのタイトルが遠隔監視システム１１に送信されることになる。
【００７０】
従って、患者２０の健康及びセキュリティの両者を、遠隔監視システム１１によって遠隔監視することができる。
【００７１】
実施形態において、セキュリティ情報は、遠隔監視システム１１から又はセキュリティ構成３、４、５から、セキュリティ職員（security operative）に提供され得る。セキュリティ職員は、医療専門家デバイス２１に似たデバイスを有し得るが、それはセキュリティ関連情報を受信する(更に、セキュリティ関連情報を入力する)ためのものである。別の実施形態において、医療介護者２２も、セキュリティに対処し、必要であれば、セキュリティ職員に知らせ得る。
【００７２】
この実施形態において、管理装置３は、ホームオートメーション構成を更に具備する。ホームオートメーション構成は、管理装置における適切なソフトウェアとハードウェアとによって実施され得る。ホームオートメーション構成は、患者２０が自宅におけるデバイスを操作することを可能にするように構成されている。この構成は、洗濯機、冷蔵庫、又は他のデバイス３２のようなデバイスを、管理装置３から遠隔操作するために、アクチュエータ３１に信号を提供し得る。更に、実施形態において、ホームオートメーション構成３０は、監視システム１１から操作され得る。実施形態において、監視システム１１における医療介護者又は他の職員は、暖房と、エアコンディショニングと、他のデバイスとのような、患者２０の住居におけるデバイスを、遠隔制御し得る。ホームオートメーション構成の遠隔操作は、衰弱した者、又は障害のある患者、又は初期段階の痴呆症を患う患者にとって、特に有益であり得る。
【００７３】
都合の良いことに、監視システム１１と管理装置３とを含む本発明１の管理システム１は、患者の住居における介護を容易にする。これは、高齢の、障害のある、又はさもなければ衰弱した患者を、病院のような施設において介護する必要を回避する又は少なくとも先延ばしにする。
【００７４】
図２乃至４は、患者２０の住居に配置されている管理装置３のコンポーネントをより詳しく示している。管理装置３は、ポータブルユニット４０とドックユニット（dock unit）４１とを具備している。管理装置３は、患者の住居におけるデバイスとの通信のために、ＲＦトランシーバ７２とブルートゥース（登録商標）通信部４９とを具備している。この実施形態において、デバイスは、ブルートゥース（登録商標）デバイス４２、４３、４４を含んでいる(示されているよりも多くの又は少ないデバイスがあってもよい)。ブルートゥース（登録商標）デバイスは、患者による使用のために構成された又は住居の周辺に配置された、様々な健康及びセキュリティセンサを含み得る。更に又はその代わりに、ワイヤレス送信機４５、４６、４７を、センサ及びセキュリティデバイスとして提供してもよい。更に、ブルートゥース（登録商標）及びワイヤレスデバイスを、ホームオートメーションのために提供してもよい。
【００７５】
図２の実施形態において、ポータブルユニット４０は、遠隔のブルートゥース（登録商標）及びワイヤレスデバイスとの通信のために、ブルートゥース（登録商標）受信機４９及びＲＦトランシーバ５０を具備している。患者は、これらのデバイスから情報を受信し、ポータブルユニット４０を介してこれらのデバイスを制御することができる。図４は、図２の実施形態に対する僅かな変化を示している。図４において、ＲＦトランシーバ７２はドックのみに配置されており、ＲＦトランシーバ７２によって受信された通信がポータブルユニット４０に送信されることを、ＲＦリンク１１０、１１１が可能にする。更に、ドックユニット４１からポータブルユニット４０へ、それらがドックコネクタ６１、６２によってドッキングされたときに、送信を通信することができる。
【００７６】
ポータブルユニット４０は、ＧＳＭネットワーク５２とのＧＳＭ通信を可能にする回路５１を具備している。これは、ワイファイ通信のためのワイファイ回路５３を更に組み込んでいる。この実施形態において、ワイファイ通信部５３は、例えばＶＯＩＰ及びデータについて、インターネット５６のような遠隔通信ネットワークと通信するために構成されているＡＤＳＬモデム５５においてワイファイ５４との通信を可能にし得る。知られているように、モバイルＧＳＭネットワーク５２は、インターネット５６を介した通信も可能にし得る(図４を参照)。ＡＤＳＬ及びＧＳＭの通信を可能にすることは、通信経路の冗長性を可能にすることが分かるであろう。モバイルネットワークが働いていない場合に、(ブロードバンド、又はＰＯＴＳ、又は任意の利用可能なケーブルネットワークであり得る)ＡＤＳＬによって、ケーブルネットワークが利用されてもよく、或いは逆もまた同じである。管理装置は非常時のクリティカルシステム（emergency critical system）であると考えることができるので、通信の冗長性は重要な利点である。ポータブルユニット４０は、ビデオと、音声と、データ１１２である、異なる通信の設備のために構成されている。ネットワークが、ビデオのようなデータ量の多い通信に何等かの理由で対処することができない場合に、音声は依然として利用可能であるかもしれない。音声に対処することができない場合に、単純なデータ通信(例えば、ＳＭＳ)は依然として利用可能であるかもしれない。通信設備のこの冗長性は、非常時のアラームを提供する能力のような、ミッションクリティカルな機能を依然として維持しながら、ネットワークの品質における変化を許す。この実施形態において、非常時のアラーム及び他のクリティカルな通信の場合に、管理装置３は、通信が行われるまで各通信設備を試みるように構成されている。
【００７７】
この実施形態において、ポータブルユニット４０は、健康と、セキュリティと、ホームオートメーションと、他の通信機能とのために構成されているタブレットコンピューティングデバイスを含む。これは、タッチスクリーンインターフェイス６０(図５)の形態をとったポータブルインターフェイス要素を具備する。これは、管理装置３の患者インターフェイスの一部を形成している。
【００７８】
ポータブルユニット４０は、ドックコネクタ６１を更に具備している。ドックコネクタ６１は、コネクタポイント６２を介して、ドックユニット４１とドッキング及び接続するように構成されている。
【００７９】
ポータブルユニット４０はポータビリティのために構成されており、その結果、患者２０はそれを自宅の周辺で持ち運ぶことができ、それを自宅に置いていくこともできる。患者はポータブルユニット２０を彼らと共に持ち出してもよく、その結果、彼らが行くところならどこでも、健康及びセキュリティの機能が依然として利用可能である。ポータブルユニット４０のポータビリティを助長するために、自宅で機能を提供する他のデバイスを、ドックユニット４１において保持しておくことができる。即ち、彼らが自宅から離れている場合に、タブレット４０が、ポータブルのままで、患者の健康及びセキュリティに必要な機能を依然として提供することを保証するように、ドックユニット４１とタブレット４０との間で機能を分割することができる。ドックユニット４１は、ポータビリティに適していない高度な機能を提供し得る。
【００８０】
タブレット４０は、それがドックユニット４１からドッキングを解かれた場合に、タブレット４０に電力を供給するバッテリ１２０を具備している。ドッキングされた場合は、主電源１２１から、ドックコネクタ６１、６２を介して、タブレット４０に、電力が提供される。タブレット４０における主バッテリ（main battery）１２０は、ユニットがドッキングされた場合に再充電される。
【００８１】
ドックユニット４１は、比較的に高容量のバックアップバッテリ１２１を更に備えている。主電源の障害の場合に、バックアップバッテリは、タブレット４０がドッキングされているときに管理装置３に電力を提供することに加えて、主バッテリ１２０を充電する。バックアップバッテリ１２１は、様々な管轄区域における非常時標準（emergency standards）に適合する容量を有するように構成されている。この実施形態において、バックアップバッテリは、４０時間の容量を有し、これはオーストラリアにおける標準の条件よりも大きい。
【００８２】
タッチスクリーンインターフェイス６０を患者２０に見易くするために、タブレット４０が比較的に直立した位置で保持されるように(図６参照)、ドックユニット４１はタブレット４０をドッキングするように構成されている。これは、老人、衰弱した人々、及び障害のある人々にとって特に便利である。
【００８３】
ドックユニット４１はワイファイトランシーバ６５を有している。ワイファイトランシーバ６５は、ＲＪ  ４５ソケット６６を介して通信し得る。ＲＪ  ４５ソケット６６は、ＡＤＳＬモデム５５における対応するＲＪ  ４５コネクタ６７と協働する。従って、タブレット４は、ワイファイ５３及び５４を介して、又はドックワイファイ６５及びＡＤＳＬモデムへのＲＳ  ４５接続を介して、ＡＤＳＬモデム及び遠隔システムと直接に通信し得る。インターネット５６への接続は、遠隔システム１１だけでなく、インターネットとの通信を一般に可能にする。同様に、ＧＳＭネットワーク５２を介した接続は、通信をどこでも可能にする。従って、遠隔システム１１だけでなく任意のシステムと、データ、音声、ビデオを通信するために、監視装置３を使用することができる。しかしながら、システムは、(患者２０が接続を行なう必要なく)健康データ及びセキュリティデータをシステム１１へ直接に通信するようにプログラムされている（例えば、接続が常に「オン」に開いているかもしれない）。
【００８４】
この実施形態では特定のタイプの通信設備が実施されているが、本発明は他のタイプの通信設備を制限なく利用し得ることが分かるであろう。
【００８５】
ドックユニット４１は、スピーカ及びマイクロフォン７１の形態をとったオーディオ設備を具備している。これは、タブレット４０における対応するスピーカ及びマイクロフォンの設備と比較して、高度な品質を有する。従って、ドックは高度なオーディオインターフェイスを提供する。タブレット４０は、ドッキングされた場合に、インターフェイス６０を介して遠隔通信に使用できる。これは、ドックの高度なオーディオ設備７０、７１を利用して、ビデオ送信を可能にする。これは、聞くこと及び／又は話すことが困難な患者にとって特に有益であり得る。
【００８６】
この実施形態において、ドックユニット４１は、無線トランシーバ７２を更に含んでいる。これらは、タブレット、更にワイヤレスデバイス４５、４６、４７、４８と通信することを可能にする。従って、ドックは、様々なワイヤレスデバイスの制御のために使用され、更に、ワイヤレスデバイスから情報を受信し、ポータブルユニット４０の無線トランシーバ５０と又はＲＦリンク１１０を介して通信することを可能にする。
【００８７】
この実施形態において、ＲＪ  ４５拡張ポート７３、又はＵＳＢ  ＯＴＧ１２２(図４)は、拡張デバイス７４の追加を可能にし得る。拡張デバイス７４は、任意のタイプの機能のための任意のデバイスであり得る。実施形態において、拡張デバイス７４は、ホームオートメーション制御デバイスであり、これは、ホームオートメーションを制御するように、ワイヤレス送信機／受信機とブルートゥース（登録商標）デバイスとを制御するために使用することができる。
【００８８】
代わりの実施形態では、タブレット４０へ送信するために、トランシーバ７２は含まれず、ワイヤレス送信機７５のみである(「オプションＢ」、図２)。
【００８９】
アラームボタン７６(「ＨＥＬＰ（ヘルプ）」)が、ドック４１上に提供されている。これが患者によって作動されると、これはタブレット４０を介して遠隔監視システム１１に(ＧＳＭ及び／又はＡＤＳＬを介して)アラームを提供する。従って、医療職員（medical operative）は応答することができる。ポータブルユニット４０のスクリーンインターフェイス６０によって、「ソフトな」アラームボタンが更に提供され得る。更に、ドックユニット４１上のハードボタン７６に似たやり方で、アラームを提供するためにポータブルユニット４０上に「ハードな」ボタンが提供され得る。これは、患者が「ヘルプ」を常に求めることができることを保証する。更に、アラームを送るために、ペンダントのような外付けデバイスを患者が着用し、管理装置３と通信してもよい。
【００９０】
監視システム３は、コードレスハンドフォン８０を更に含んでいる。これは、外部に(ＧＳＭ又はＶＯＩＰ)、即ち遠隔システム１１への通信を可能にする又は任意の他の通信を可能にするために、ブルートゥース（登録商標）、ワイファイ、又は他の通信媒体を介して、タブレット又はドックと通信し得る。
【００９１】
センサデバイスは、任意の利用可能な健康パラメータのセンサ又はデバイスを具備し得る。これらは、血圧、ＢＳＬ、ＥＣＧ、ＩＮＲ、ＳＰＯ２、体温、尿、体重、及び呼吸数のような臨床測定値を収集する任意のデバイスと、任意の他のセンサとを含み得る。センサは、タブレット／ドックと自動的に通信し得る。その代わりに、患者２０が、読み取り値（reading）を取り、患者インターフェイスを介してタブレット／ドックへそれらを入力してもよい。管理装置３は、現在利用可能な健康パラメータデバイスに対処するように構成され得る。
【００９２】
臨床測定値は、遠隔位置１１又は医療介護者２２へファックスされる、電子メールで送られる、又はさもなければ通信されることができる。
【００９３】
この実施形態において、遠隔位置１１とタブレット６０との間における双方向メッセージングシステムは、「ウィジェット（widget）」の形態でも実施される。これは、通信が常に利用可能であるように、常に開いていることが可能である。ウィジェットは、例えば、医薬品を服用する必要があることについてリマインダ（reminder）を患者２０に伝えるために使用され得る。これを使用して、任意の情報を伝えることができる。ウィジェットの動作例は、この記述において後で与えられる。タブレットは、カメラ８５を更に含む。これは、遠隔位置(又は、ビデオ通信が可能にされている任意の他の位置)とのビデオ通信を容易にする。
【００９４】
実施形態において、タブレット４０はＧＰＳ機能を含み得る(実施形態に示されていない)。これはタブレットの位置を追跡することを可能にする。例えば、タブレット４０がどこにあるかが医療介護者に常に分かるように、タブレット４０の位置は遠隔監視システム１１から追跡され得る。従って、患者がタブレット４０を自宅に置き忘れ、それらがアラームを提供した場合に、それらの位置はＧＰＳを介して追跡され得る。
【００９５】
電力を節約し、更に干渉を回避するために、タブレット４０がドッキングされた場合に、任意のＧＰＳ及びＧＳＭ機能はオフにされ得る。
【００９６】
図３は、更なるコンポーネントを示す、ドックユニット４１と、ポータブルユニット４０と、電話８０との別の概略図である。
【００９７】
ドックユニット４１は、キーパッド８１を具備するインターフェイスを備えている（更に、図７を参照）。キーパッド８１は、ポータブルユニット４０上のスクリーンの明るさと音量とを調整するために、この実施形態において回転可能なノブ８２、８３を含んでいる。キーパッド８１は、幾つかの比較的に大きな押しボタン８４(図７)を更に含み、これを使用して、監視装置３の様々な機能を制御することができる。この実施形態において、押しボタン８４の機能は、患者によって又は医療専門家によって構成され得る。監視装置３の操作のためにこれらの比較的に大きな押しボタン８４を有することは、監視装置３の入力／制御についてのタブレットのタッチスクリーンの使用に慣れていない、老人、衰弱した者、又は障害のある者にとって特に有益であり得る。
【００９８】
図６及び７を参照すると、医療用アラーム（medical alarm）を作動させるために使用される単一のＨＥＬＰ（ヘルプ）ボタン７６が、ドック上にある。４個のボタンが底列にあり、これらはプログラム可能でない。左から一番目はＨＯＭＥ（ホーム）ボタンであり、これはユーザをタブレットのホームスクリーンに戻す。左から２番目は、ＮＯＴＩＦＩＣＡＴＩＯＮ（通知）であり、これは現在の通知をタブレット上に表示する(後述を参照)。左から３番目は、ＣＡＬＬ  ＣＥＮＴＥＲ（コールセンタ）であり、これは遠隔監視システム１１への音声又はビデオ通話を開始する。左から４番目は、ＳＥＬＦ  ＣＡＲＥ（セルフケア）であり、これは、自己療法（self medical care）のためのオプションを表示するスクリーンを引き出す（後述を参照）。上に向かって、第２及び第３の列は、プログラム可能なボタンである。これらは、短縮ダイヤル、即ち、タブレット上のアプリケーションへのショートカットに使用されることができ、タブレットのソフトウェアによってプログラムされるか、又は遠隔監視システム１１から再構成されることができる。
【００９９】
監視装置３の利点は、インターフェイスのフレキシビリティである。コンピュータ技術に慣れていないユーザは、ドックユニット４１のキーパッド８１を使用して、監視装置の必要な機能を今まで通りに取得し得る。技術により慣れている人は、タブレット４０上の精巧なタッチスクリーンインターフェイスによって提供される全ての設備を使用することができる。この実施形態において、健康情報とアラーム情報とを提供するために、遠隔システム１１と、医療専門家デバイス２１と、監視装置３との間における通信を容易にすることに加えて、監視装置は、典型的なタブレットコンピュータに利用可能な機能を全て提供する。例えば、「ａｐｐｓ」は、様々な機能のためにダウンロードされ得る。従って、コンピューティング技術により慣れている人々は、機能の全範囲を彼らに利用可能なものにする。
【０１００】
更に、既に述べたように、監視装置３は、自宅におけるデバイスを制御するために使用されることができる(ホームオートメーション)。更に、監視装置３は、ホームオートメーションを制御するために患者２０によって使用されることができる。ホームオートメーションは、システム１１によって遠隔制御され得るので、医療専門家は、暖房と、エアコンディショニングと、他のシステムとのような、家におけるデバイスを制御できる。
【０１０１】
図３を再び参照すると、ドックユニット４１は、ドックユニット４１の制御のためにマイクロコンピューティングユニット（micro-computing unit, MCU）９０を具備している。ＭＣＵ９０は、メモリとプロセッサとを含み得る。上述で参照したように、ドックと、それに取り付けられたデバイスは、ワイファイ９１及びＲＦ９２を介して、他のデバイス及びタブレットと通信し得る。タブレット４０は、ＣＰＵ９３を有し、更に、無線周波数送信９４と、ワイファイと、ブルートゥース（登録商標）とのための上述で参照したデバイスと通信する。
【０１０２】
タブレットにおける送信機及び受信機と、タッチスクリーンの操作は、大量の電力を必要とする。使用の際に、タブレット４０は、通常は、ドック４１においてドッキングされるであろう。ドック４１は、(パーソナルアラームシステムの管轄区域の標準を満たすために)バックアップ電力モジュールを具備している。ドックユニット４１との接続は、タブレット４０のバッテリの再充電を可能にする。ドックユニットは、主電源に接続され得る(従って、そのバッテリは常に充電される)。
【０１０３】
既に述べたように、ドック４１は、患者２０による使用し易さのために直立した位置でタブレット４０を保持する。タブレット４１の角度は、図１０に示されているように、この実施形態では０乃至３０度で調整され得る。
【０１０４】
患者が彼らの住居に居たままで、患者の健康及びセキュリティのケアを容易にするサービスを提供する「ポータル」として、管理装置３は効果的に動作する。管理構成は、テレヘルスサービスが管理システム１を介して提供されることを可能にする。臨床情報は、遠隔システムと医者とに提供され得る。健康について話すために、ビデオ通話が行なわれ得る。
【０１０５】
管理装置３は、処方箋の記入（script filling）のような医療サービスを可能にするために更に使用され得る。例えば、バイタルサインを精密に調べて処方箋を書く医者に、仮想リンクが提供され得る。従って、処方箋を患者及び／又は薬局へ電子的に送ることができる。処方箋に書き入れる薬は、(例えば、郵便で又は配達人によって)個別に提供されることができるであろう。
【０１０６】
更に、システムは、パーソナル応答システムの機能を提供し、医療用アラームが遠隔に送信され、自宅のセキュリティが監視されることを可能にする。
【０１０７】
更に、システムはホームオートメーションを容易にする。自宅におけるシステムは、管理装置を使用して、遠隔又はローカル制御されることができる。
【０１０８】
更に、管理構成は、ポータルを介してコミュニティに患者に接続し続けることによって、社会的保健衛生を推進する。これは、インターネット、電話、又は他の通信設備を介することができる。この実施形態において、遠隔監視システムは、コミュニティサービスを提供するように構成されている。例えば、「ビンゴ」ゲームのようなゲームは、ネットワークをわたって管理装置に送信することができる。教育情報も提供することができる。更に、フェイスブック（Facebook）のようなソーシャルネットワークへのインターネット接続が容易にされる。
【０１０９】
実施形態において、遠隔監視システムは、ポータルを可能にし、それによって様々な患者に対する管理デバイスにコミュニティサービスを提供することができる。コミュニティビレッジ(例えば、退職者のビレッジ)の監理は、例えば、ビレッジのサービス、ビレッジの機能に関する情報と、任意の他の情報とをブロードキャストするポータルを介してアクセスすることを可能にされ得る。アクセスは、監視システム１１によって供給されるウェブ使用可能ポータルと、ビレッジの監理者のコンピューティングシステムとを経由し得る。
【０１１０】
更に、インターネットテレビジョンのような他のサービスを、管理装置３を介して提供することができる。この実施形態において、自宅におけるハイファイ（HiFi）及びフラットスクリーンのテレビジョンに、音楽とテレビジョンとをワイヤレスに流すことができる。
【０１１１】
従って、管理装置は、単一のインターフェイスにおいて、上述のサービスを全て提供する、フルサービスポータルを備えることができる。
【０１１２】
下記は、この実施形態に従う監視システム１の動作例である。
【０１１３】
例１
在宅介護を管理する患者は、管理装置３を使用して、臨床測定値を記録する。臨床測定値は、遠隔監視システム１１を介して保健衛生の専門家によって監視され、必要に応じて、患者の医者に報告され得る。患者２０は、臨床測定デバイス２４、２５にアクセスする。臨床測定デバイス２４、２５は、ワイヤレス又はブルートゥース（登録商標）を介して動作し得るか、或いはマニュアルで操作され得る。次に、患者は管理装置３を使用して、測定値を入力する。
【０１１４】
図１２を参照。
【０１１５】
１．患者は、臨床測定値(例えば、血圧、血糖値、脈拍、ＳＰＯ２、等)を取る必要がある。
【０１１６】
２．患者は、(スクリーン６０上の)Ｃｌｉｎｉｃａｌ  Ｄｅｔａｉｌｓ（臨床の詳細）のアイコン又は(ドック４１上の)ボタン８４をタップし、臨床機能にアクセスする(図１３(ａ))。
【０１１７】
３．患者は、彼らが取りたい適切な測定値、例えば血圧、をタップする。
【０１１８】
４．患者は、彼らが測定値をマニュアルで入力したい場合は、「Ｍａｎｕａｌ（マニュアル）」をタップし、彼らがブルートゥース（登録商標）を介してそれらを収集したい場合は、「Ａｕｔｏ（自動）」をタップする(図１３(ｂ))。
【０１１９】
５.次に、患者は、測定デバイスをスタートさせ、測定値を取る。
【０１２０】
６．測定値をマニュアルで入力する場合は、患者はスクリーン上の様々な領域をタップし、スクリーン上のキーボードを介して測定値を入力する(図１３(ｃ))。
【０１２１】
７．ブルートゥース（登録商標）を介して自動的に入力する場合は、患者は、測定値が管理装置３へ送られて自動的に表示するまでの短い時間（moment）を待つ。
【０１２２】
８．測定値が適切に入力されることを満足させた場合は、患者は、彼らの電子健康記録に測定値を記録するために、「ＳＡＶＥ(保存)」を押す(図１３(ｅ))。
【０１２３】
９．測定値は遠隔監視システム１１へ送られる。ここでは、それは保健衛生の専門家と管理者によって見られ、クライアントの医者又は他の医療専門家へ送られることができる。
【０１２４】
１０．測定値が患者に対して設定された閾値を越えている場合は、遠隔監視システム１１においてアラームが発せられ、処置が取られる。例えば、資格のある看護師が、(管理装置３を介して)電話又はビデオ通話によって患者と連絡（又は、コンタクト）を取り、援助が必要であるかどうかを決定してもよい。看護師は、要求され得るどんな援助でも提供する。それは、担当者（contact person）を呼ぶこと、患者の医者に通知すること、又は救急車を呼ぶことさえも含むことができるであろう。
【０１２５】
クライアントの医者は、測定値について知らされる。これは様々なやり方で行なうことができる。
【０１２６】
ａ）監視装置３から定期的に直接に測定値をファックスする又は電子メールを送る。
【０１２７】
ｂ）遠隔監視システム１１における保健衛生の専門家は、クライアントの測定値の印刷されたレポートを、ファックス、又は電子メール、又は郵送の何れかで送ることができる。
【０１２８】
ｃ）医者は、測定値を見ることをいつ求めてもよい。その場合に、彼らは、いつでも、遠隔監視システム１１にログインして、患者の測定値を見ることができる。
【０１２９】
例２
患者は、非常時の場合に、遠隔監視システム１１から援助を求めるために、管理装置３を使用することができる。患者は送信機２３を有する。送信機２３は、腕時計のスタイルで着用される(又は、ペンダントとして着用されるか、又は住居の任意の他の部分に装備される又は壁に装備されることさえできる)。患者は、煙アラームと、盗難アラーム４、５と、及び他のアラームデバイスのような、アラームを送信することができる他のデバイスを、彼らの住居に更に有し得る。
【０１３０】
図１４を参照。
【０１３１】
１．患者は、彼らの送信機２３、タブレット４０、又はドック４１上のＨＥＬＰ（ヘルプ）ボタン７６を押す、図１５（ａ）。
【０１３２】
２．管理装置３は、アラームを送り、遠隔監視システム１１への呼び出しを開始する。遠隔監視システム１１では、看護師が、クライアントとの音声又はビデオでの連絡を確立し、それが非常時のアラームであるか又はテストであるかを決定する(図１５(ｂ)、１５（ｃ）)。
【０１３３】
３．看護師は、遠隔システム１１のユーザインターフェイス(User Interface, UI)において、対応するアラームの位置を特定し、それが処置されていることを識別するためにそれをロックする(図１４５(ｄ))。
【０１３４】
４．非常時の場合に、看護師は、トリアージプロセス（triage process）を開始し、任意の必要な処置を取る。それは、患者の指定連絡先に通知すること、非常時のサービスを求めること、又は隣人を呼ぶことを含むことができるであろう。取られた任意の処置は、ＵＩにおいて記録に残される(図１５(ｅ)、（ｆ）、（ｇ）)。
【０１３５】
５．非常時外の援助又は保全が要求された場合は、オペレータは適切な関係者と連絡を取り、クライアントにアドバイスする(保全問題の場合は、オペレータはクライアントをヘルプデスクに接続する必要があるかもしれない)。又は、それがテストアラームである場合は、看護師はクライアントに感謝して、成功のためにそのテストを記録に残す。
【０１３６】
６．更なるフォローアップが要求された場合は、オペレータは、アラームをある期間保留状態に置くか、又は別の看護師のフォローアップのために、それを公表することができる。
【０１３７】
７．更なる処置が要求されない場合は、看護師はアラームを打ち切る。
【０１３８】
８．予め決められた閾値を越えた臨床測定値を記録することによって、アラームはトリガされ得る。
【０１３９】
ａ）利用可能な医療情報に基づいて、看護師はテレビ会議（video conference）を開始してもよい。
【０１４０】
ｂ）看護師は、要求されるどんな援助でも行なう。それは、指定連絡先を呼ぶこと、彼らの医者に通知すること、又は救急車を呼ぶことさえも意味することができるであろう(図１４における参照番号８)。
【０１４１】
ｃ）クライアントのＧＰ又は専門医（Specialist）に測定値を知らせる。
【０１４２】
アラームを送信することができる別のデバイス、例えば煙アラームによって、アラームはトリガされてもよい。
【０１４３】
ａ）看護師は、クライアントとの音声又はビデオでの連絡を確立することを試みるであろう。
【０１４４】
ｂ）看護師は、非常時のサービスを適宜に求めるであろう。
【０１４５】
例３
看護師のような医療介護者は、(例えば、投薬を促すこと（medication prompt）、生活保護のチェック（welfare check）、傷の診察、又は症例検討会のために)対面訪問（face to face visit）を行なうのではなく、テレビ会議を開始するために、監視システム１を使用することができる。
【０１４６】
図１６を参照。
【０１４７】
１．看護師は、管理装置３(タブレット４０)を介してクライアントとのテレビ会議を開始する。図１７（ａ）は、看護師が彼らのモニタ１３上で何を見得るかを表現したものを示しており、図１７（ｂ）は、患者が彼らのタブレット４０上で何を見得るかを示したものである。ステップ２において、クライアントはテレビ会議を承認した。双方向のオーディオ／ビデオが確立される。ドックユニット４１は、患者がテレビ会議に快適に出席するために便利なように直立した位置で、タブレット４０を支える。
【０１４８】
２．看護師は、要求されたサービスを提供し、適宜に、クライアントに彼らの医薬品を服用するように促すか、又は彼らの生活保護に関して質問する。
【０１４９】
３．テレビ会議が十分であったと看護師が確信すると、彼らはテレビ会議を終了する。
【０１５０】
４．それが適切であると看護師が感じた場合は、彼らは他の者を会議に招くか又は対面訪問をスケジュールしてもよい。
【０１５１】
５．非常事態がある場合は、看護師は即時の処置を取る。これは、患者の指定連絡先に通知すること、非常時のサービスを求めること、又は手助けするように隣人を呼ぶことを含むことができるであろう。更に、適切な場合は、患者のＧＰ又は専門医に知らせてもよい。全てが無事であったことを保証するか、又は必要であれば、彼らの介護プランを調整するために、看護師は、患者を後日にフォローアップする（参照番号８）。
【０１５２】
６．テレビ会議と、取られた任意の処置は、医療介護者監理システムにおける、クライアントの電子記録に記録を残され、クライアントのＧＰ又は専門医と共有され得る。
【０１５３】
７．非常時のサービスが求められた場合は、看護師は、全てが大丈夫であることを確実にし、彼らの介護プランに対する任意の必要な調整を行なうために、クライアントを後日にフォローアップする。
【０１５４】
例４
看護師のような医療専門家２２は、彼らの看護回数（attend times）と、移動したキロメートルと、記録経過ノート（record progress note）と、フォームと、彼らが看護する患者の臨床測定値とを、彼らが記録するときに、サービス提供のために遠隔システム１１によってホストされている医療介護者管理システムと医療専門家デバイス２１とを使用する。医療専門家は、例えば、タブレット又はスマートフォンのような医療専門家デバイス２１を供給された、コミュニティの看護師であり得る。これは、管理システム１の管理装置３と、遠隔監視システム１１と、遠隔通信にインターフェイスしアクセスするための医療介護者監理システムとを用いて適切に構成されている。看護師２２は、彼らが患者を看護するときに様々な臨床測定値をとることができる機器を更に有し得る。機器が、ブルートゥース（登録商標）対応である場合は、管理装置３及び監視システム１と通信することができる。
【０１５５】
図１８を参照。
【０１５６】
１．看護師は、彼らのスマートフォン２１又はタブレット２１における医療介護者のアプリケーションにログインし、「Ｍｙ  Ｒｏｓｔｅｒ（私の名簿）」を押し、彼らの名簿をロードする（図１９（ａ））。
【０１５７】
２．看護師は、彼らが看護したい彼らの名簿における第１の業務をタップする（図１９（ｂ））。これにより業務を開き、サービスの詳細を明らかにする（図１９（ｃ））。このスクリーンから、彼らは、クライアントの自宅へナビゲートすること２Ａ、又は、病状とアレルギとを含む、クライアントの詳細を見ること、を選ぶこともできる。
【０１５８】
３．看護師は、サービス提供に注目する。これはクライアントの自宅に行くことを含むであろう(彼らは、看護師監理システムによって提供されるナビゲーションシステムを使用することができる。)（後述及び図２０を参照)。
【０１５９】
看護師は、「Ｂｅｇｉｎ  Ｊｏｂ（業務に着手する）」をタップし、彼らの看護開始時間を記録し、前のクライアントから彼らが移動したキロメートルを入力する（図１９（ａ））。
【０１６０】
４．看護師は、「Ｐｒｏｇｒｅｓｓ  Ｎｏｔｅ（経過ノート）」のアイコンをタップし、彼らの最後の訪問以降に入力した任意のノート、又はそれが新しいクライアントである場合は、最近の１０回のノートを見る、図１９（ｅ）。
【０１６１】
５．傷の手当て（care）がサービス提供の一部である場合は、看護師は、クライアントの電子記録と共に記録される傷の写真を撮る（図１９（ｆ）、１９（ｇ））。
【０１６２】
６．看護師は、「Ｆｏｒｍｓ(フォーム)」のアイコンをタップし、リストからフォームを選ぶことによって、サービス提供中に要求される任意のフォームを完成する。フォームは、チェック印を付けるボックス（tick box）と、ドロップダウンリストと、タイプ入力とを使用して完成される（図１９（ａ）、（ｉ）、（ｊ））。
【０１６３】
７．看護師は、要求された場合に、「Ｍｏｒｅ(追加)」のアイコンをタップしてＣｌｉｎｉｃａｌ  Ｄｅｔａｉｌｓ（臨床の詳細）を選び、次に、彼らが取りたい適切な測定値、例えば血圧を入力することによって、臨床測定値を入力する。
【０１６４】
８．サービス提供を終了するために、看護師はＥｎｄ  Ｊｏｂ（業務を終了）のアイコンをタップする。その時に、彼らは、サービス提供の一部（例えば、搬送又は買い物）であった任意のキロメートルを記録するように促される。図１９（ｔ）、１９（ｖ）。
【０１６５】
９．サービス提供はここで完了し、看護師は彼らの次の業務に進む。ここではプロセスが繰り返される。
【０１６６】
１０.取った測定値が、クライアントに設定された閾値を超えていると、心配の原因（cause for concern）である。
【０１６７】
ａ）ＩＮＳ  ＬｉｆｅＧｕａｒｄコールセンタ（INS Life Guard Call Center）において、アラームが発せられると、アラームはトリアージナースによって処置される。
【０１６８】
ｂ）トリアージナースは、要求されるどんな援助でも提供する。それは、クライアントの医者に通知すること、又は救急車を呼ぶことを意味することができるであろう。
【０１６９】
看護師は、傷又は他のそのような問題に気付いて、別の関係者、例えば臨床ディレクタ（Clinical Director）又はＧＰに診察してもらうことを求める。
【０１７０】
ａ）撮った傷の写真を、診察のために、電子メールを介して、診察する関係者へ直ちに送ることができる。
【０１７１】
ｂ）取った臨床測定値を、再検討のために、電子メール又はファックスで、診察する関係者へ送ることができる。
【０１７２】
ｃ）看護師は、クライアントの経過ノートに診察の結果を記録に残す。
【０１７３】
傷だけでなく、クライアント、自宅、又は他のもの、の写真が必要とされるかもしれない。インツイト（Intuito）（登録商標）は、正しいカテゴリにおいて写真のフラグを立てる。
【０１７４】
図２０を参照すると、医療専門家デバイス２１によって医療専門家２２に提供され得る幾つかの他の機能が示されている。図２０（ａ）乃至２０（ｃ）は、システムが、サービスの始まりに先立って、クライアントの敷地へのＧＰＳナビゲーションをどのように提供するかを示している。
【０１７５】
図２０（ｄ）及び２０（ｅ）は、サービスを放置することなく、医療介護者がクライアント又は遠隔管理システム１１にどのようと連絡をとり得るかを示している。
【０１７６】
図２０（ｆ）乃至２０（ｈ）は、臨床測定値のようなクライアントのパラメータに関して、医者又はオフィス(遠隔システム)にどのようにファックスで送られ得るかを示している。
【０１７７】
図２０（ｉ）乃至２０（ｌ）は、任意の状況に対して、ＨＥＬＰ（ヘルプ）ボタンが使用され得ることを示している。任意の状況では、即時／非常時の援助が要求されており、即ち、(例えば自動車が夜遅く故障した)クライアントに対して、恐らくは、救急車又は看護師が要求されている。ＨＥＬＰ(ヘルプ)は、電話自身のホームスクリーンに加えて、モバイルアプリケーションの全てのスクリーンにおいても利用可能であるので、常に素早く援助を求めることができる。結果として得られたアラームは、それがクライアントからのアラームであった場合は、遠隔監視システム１１によって全く同じに取り扱われ得る（例２を参照）。
【０１７８】
図２１乃至２４は、この場合はパッドユニット４０のタッチスクリーン６０において、管理装置３によって生成され得る、幾つかのサンプルの患者インターフェイスを示している。図２１は、「ホームスクリーン」を示している。日付及び時間２００と、更に天気２０１が、スクリーンに表示されている。他の情報を表示できることが分かるであろう。ドックバッテリ２０２とタブレットバッテリ２０３との充電状態が、スクリーンに表示されている。患者が他のスクリーンを選択することを可能にするメニュー２０４が提供されている。スクリーンの下部には、タブ「ｄｒａｇ  ｏｕｔ  ｔｏ  ｖｉｅｗ  ｎｏｔｉｆｉｃａｔｉｏｎｓ（通知を見るためにドラッグアウト）」２０５が表示されている。
【０１７９】
タブ２０５が上方へドラッグされると、通知２０６(図２２)が表示され得る。これらの通知は、遠隔監視システム１１から提供され得る。
【０１８０】
図２３は、「ｓｙｓｔｅｍ  ｃｏｎｆｉｇｕｒａｔｉｏｎ（システム構成）」メニューを示している。表示されているメニューは、「Ｂｌｕｅｔｏｏｔｈ  ｄｅｖｉｃｅｓ（ブルートゥース（登録商標）デバイス）」であり、これは、ブルートゥース（登録商標）を介して管理装置３に接続できるデバイスの追加及び除去を可能にする。
【０１８１】
図２４は、追加する又は取り去ることができる様々なセキュリティアラームデバイスのシステム構成を示している。
【０１８２】
デバイスの要求された機能に従って他のスクリーンショットが提供され得ることが分かるであろう。
【０１８３】
図２５（ａ）乃至２５（ｄ）は、ウィジェットによって提供され得る様々なディスプレイを示している。ウィジェットは、永久にオンであり、管理装置３及び遠隔監視システム１１と共に、永久にオンのメッセージングサービスを提供する。図２５（ａ）は、ウィジェットによって提供される様々な通知を示している。患者がアラーム(赤色の十字記号)を作動させた場合に、図２５（ｂ）に示されているスクリーンショットが生成され、アラームを送るべきかどうかについて尋ねる。
【０１８４】
図２５（ｃ）を参照すると、患者が「ｖｉｅｗ  ａｌｌ  ｎｏｔｉｆｉｃａｔｉｏｎｓ（全ての通知を見る）」を選択した場合に、ウィジェットを介して通知が表示される（図２５（ｄ））。
【０１８５】
ウィジェットは、任意の情報を通信し得る。
【０１８６】
図２６は、本発明に従う管理装置の更なる実施形態を示している。これは、図５乃至１１の実施形態の装置に似た特徴を有しているが、設計及び機能コンポーネントにおいて幾つかの変更を備えている（図２７及び２８に関して後述を参照)。
【０１８７】
管理装置３００のこの実施形態は、ドック３０１と、タブレット３０２と、電話ハンドセット３０３とを更に具備している。これらは、上述の実施形態の同等のコンポーネントと同様の機能を有している。ドック３０１は、ドック３０１の正面の右手側にハードボタン３０４を含んでいる。タブレット３０２は、ポータブルになるように、ドック３０１から切り離すことができる。ハンドセット３０３は現状のままである。管理装置３００は、遠隔監視システム１１及び医療専門家デバイス２１と互換性があることを含めて、図１に関連して上述で説明されたシステムと互換性がある。管理装置３００は、上述の実施形態と実質的に同じ機能を提供するように動作する。
【０１８８】
図２７は、図２６の管理装置３００の１つの可能性のあるアーキテクチャを示している。図２と、３と、４において同じ参照符号を付されたコンポーネントの機能と同じ機能を有するコンポーネントに対して、図２７では、同じ参照符号が割り振られている。これらのコンポーネントについて、更なる詳細な記述は与えられない。
【０１８９】
図２７のアーキテクチャでは、タブレット３０２は、管理装置３００の機能の大部分を組み込んでいる。これまでの図面に関連して上述したように、これは、遠隔通信を可能にするＧＳＭ５１及びワイファイ５３の通信を含んでいる。従って、ビデオと、音声と、データが、遠隔位置及び監視システム１１で可能にされている。
【０１９０】
タブレット３０２は、タブレットがドック３０１に接続されていない場合に、タブレットのバッテリ１２０を充電するために、ポータブル充電器ポート３３０を更に含んでいる。
【０１９１】
タブレット３０２は、ＲＦ送信機及びＲＦ受信機５０を有している。これらは、ＰＥＲＳデバイス(例えば、ペンダント３０１及び呼び出しポイント３１１)のような、全てのセキュリティデバイスから信号を受信するように構成されている。更に、セキュリティデバイスは、煙アラーム３１２と、標準のセキュリティアラーム、ドアアラーム、等３１３とのような、標準のホームセキュリティデバイスであってもよい。受信された任意のアラームは、タブレット(存在するが示されないＭＣＵ)によって処理され、次に、遠隔システム(例えば、ＧＳＭ５１、又はＡＤＳＬ、又は任意の他の通信機構を介して、監視システム１１)へ送信される。
【０１９２】
タブレット３０２は、ホームオートメーション３１４を扱うように更に構成されており、ＲＦ送信機５０を介して制御信号を送る。
【０１９３】
図４の上述の実施形態のように、タブレットは、医療デバイス(例えば、血圧モニタ、心拍数モニタ、等)３１５及びアクセシビリティデバイス（accessibility device）３１６と通信するように構成されているブルートゥース（登録商標）４９の設備を含んでいる。
【０１９４】
タブレットは、ＤＥＣＴコードレスフォン３０３から信号を受信するＤＥＣＴ設備３１７を更に含んでいる。従って、タブレット３０２は、電話信号を処理し、ＧＳＭ５１又はＡＤＳＬ５５を介して電話通信を容易にする。
【０１９５】
従って、タブレット３０２は、管理装置３００の機能の大部分を含んでいる。ドックは、ハードヘルプボタン３２０を含むハードボタン３０４から、幾つかの機能を提供する。これらのボタンからの信号は、ＭＣＵ９０によって処理され、次に、ドック３０１におけるＲＦ送信機３２１によってタブレット３０２上へ送信される。従って、全てのアラームは、タブレット３０２を介して行く。通信信号は、例えばＡＤＳＬモデムから、ドックによって受信され、処理のためにタブレット３０２へ送信されることができる。
【０１９６】
ドックは、電力管理システム３３１を含んでいる。これは、(タブレットがドッキングされている場合は)タブレット３０２に電力を供給し、コードレスフォンがバッテリ電力ポイント（battery power point）にドッキングされている場合は、コードレスフォン３０３のバッテリ３３２に電力を供給するように構成されている。
【０１９７】
ステータスレッドＬＥＤ（Status led LED’s）３３３は、装置のステータスを示すために提供されている。
【０１９８】
ドック３０２は、ドックのスピーカ及びマイクロフォンのための増幅器３３５を更に含んでいる。この実施形態において、タブレット３０２がドッキングされている場合に限り、ドック３０１によってオーディオが提供される。
【０１９９】
図２８を参照すると、図２６の実施形態に対する代わりのアーキテクチャが示されている。この代わりのアーキテクチャにおいて、ドック３０１は、図２７の実施形態よりも多くの機能を有している。タブレット３０２は、より少ない機能を有している。本質的に、図２８の実施形態において、ドック３０１は、ＲＦ受信及びＲＦ送信機３４０を具備している。これは、アラームからの通信を受信するように構成され、更に、ホームオートメーションを制御するように構成されている。従って、ＰＥＲＳアラーム３１０、３１１は、他のセキュリティアラーム３１２、３１３のように、ドックを介してルート設定される。アラームがタブレットを介して行く必要さえないように、ドックは、ＡＤＳＬモデムを介して直接に送信してもよい。しかしながら、それらは、ドック３０１からワイファイ送信６５を介してタブレット３０２へ、タブレットのＧＳＭ５１を介して行くことができる。ホームオートメーション３１４は、ドック３０１を介して制御される。ホームオートメーションは、（上述したように）遠隔制御されるか、又はドック３０１と通信するタブレット３０２を介して患者インターフェイスを介して制御され得る。
【０２００】
この実施形態において、ドック３０１は、タブレット３０２との更なる通信経路のためにブルートゥース設備３４１を更に含んでいる。
【０２０１】
ドックのオーディオは、ドックコネクタを通るか、或いはワイファイ又はブルートゥースを介するであろう。
【０２０２】
図２９は、図２６の実施形態のタブレットによって表示され得る「Ｈｏｍｅ（ホーム）」スクリーンを示している。ユーザは、「Ｍｙ  Ｈｅｌｐ（マイヘルプ）」メニュー４００と、「Ｍｙ  Ｈｏｍｅ（マイホーム）」メニュー４１０と、「Ｍｙ  Ｌｉｆｅｓｔｙｌｅ（マイライフスタイル）」４０２メニューと、を選択できることが分かる。更に、ソフト「Ｈｅｌｐ（ヘルプ）」ボタン４０３と、時間についての情報４０４と、リマインダ、例えば、患者に彼らが医薬品を服用する必要があることを思い出させるために使用されることができる医薬品リマインダ４０５と、他の一般的なリマインダとがある。
【０２０３】
Ｍｙ  Ｌｉｆｅｓｔｙｌｅ（マイライフスタイル）セクション４０２は、(幾つかの場合において、ビレッジの監理者によって、又は監視システム１１によって、又は他の手段によって提供され得る)社会的イベント（social event）へのアクセスを容易にし得る。
【０２０４】
図３０は、「Ｍｙ  Ｈｅｌｐ（マイヘルプ）」メニューの下層にあるスクリーンであって、次のもののような、ユーザに提示され得る様々なオプションを示している。
【０２０５】
・「Ｒｅｃｏｒｄ  Ｍｅａｓｕｒｅｍｅｎｔ（測定値を記録する）」４１０。ここでは、患者は健康測定値を記録することを望み得る。
【０２０６】
・患者は、彼らの病歴の「Ｖｉｅｗ  Ｐｒｅｖｉｏｕｓ  Ｒｅｓｕｌｔｓ（以前の結果を見る）」こともできる。参照番号４１１。
【０２０７】
・「Ｍｅｄｉｃａｔｉｏｎ（医薬品）」メニュー４１２がある。ここでは、患者は医薬品の摂取を管理し、患者が服用している医薬品に関する情報を見ることができる。医薬品メニューは、入手可能なブランドの医薬品の広告と、比較とのための便利なコンジット（conduit）さえ提供し得る。
【０２０８】
・更に、遠隔監視システム１１を介して「Ｃｏｎｔａｃｔ  ａ  Ｎｕｒｓｅ（看護師と連絡を取る）」ためのオプション４１３がある。
【０２０９】
図３１は、「Ｖｉｅｗ  Ｐｒｅｖｉｏｕｓ  Ｒｅｓｕｌｔｓ（以前の結果を見る）」メニューの下の例示的なスクリーンであって、この例ではＳＰＯ２に対する、臨床測定値の履歴を示している。このメニューの下では、任意の臨床又は他の医療測定値の任意の他の結果が表示され得る。
【０２１０】
図３２は、Ｒｅｃｏｒｄ  Ｍｅａｓｕｒｅｍｅｎｔ  ｉｔｅｍ（測定値を記録する項目）の例示的なスクリーンショット、この場合は、接続と、ＳＰＯ２デバイスからのＳＰＯ２の測定と、を示している。このメニューは、測定値を取ることと、デバイス４２０に接続することとを通して、患者を導く。何らかの理由でデバイスを検出できない場合は、ｍａｎｕａｌ  ｅｎｔｒｙ（マニュアルエントリ）のオプション４２１がある。
【０２１１】
図３３乃至３５は、アラームを発することと、監視システム１１とのその後のビデオ接続とに関するスクリーンを示している。
【０２１２】
図３３は、アラームボタンが誤って押された場合に備えた、チェックスクリーン、参照番号４２５を示している。
【０２１３】
図３４は、アラームが受信され(参照番号４２６)、彼らが間もなく連絡が通じることを、患者に確約する、通話中着信のスクリーン（call waiting screen）を示している。
【０２１４】
図３５は、職員とのコンタクト及びビデオ通話を示している。
【０２１５】
図３６は、例示的なＳｅｔｔｉｎｇ（設定）メニューを示している。
【０２１６】
図３７は、患者によって、又はよりありがちであるのは、システムをセットアップする職員によって、センサ(この場合は、可動センサ（mobility sensor)がどのようにセットアップされ得るかを示している。
【０２１７】
図３８は、ヘルスケアデバイス(この場合は、ＳＰＯ２センサ)のセットアップを示している。
【０２１８】
図３９は、クライアントが彼らの住宅に関する情報を入力することができるスクリーンを示している。
【０２１９】
図４０及び４１は、住宅におけるデバイスの制御を容易にするスクリーンを示している。これらは患者によって制御され得る。職員による遠隔制御のために、監視システム１１によって同等のスクリーンが生成され得る。
【０２２０】
図面におけるスクリーンショットは、サンプルのスクリーンショットに過ぎず、装置の機能について、他のスクリーンが追加的に又は代替的に利用され得ることが分かるであろう。
【０２２１】
上述の実施形態の管理装置は、全体的に、患者の自宅／住居における使用を意図している。実施形態では、単一の装置は２人以上によって使用され得る。例えば、ケアビレッジに住んでいる夫と妻は各々、彼らのヘルスケア及び他の機能を提供する単一の装置に対する個別のログインを有し得る。
【０２２２】
別の実施形態において、管理装置は、複数のユーザのために構成され得る。例えば、この装置は、各メンバが個別のログインを有している、コミュニティの全てのメンバによるアクセスのために、コミュニティにおける「キオスク」として構成され得る。パスワード、指紋(又は、任意の他のバイオメトリック)、ＲＦＩＤタグ／カード、或いはこれらの組み合わせを介して、ログインができるであろう。
【０２２３】
従って、実施形態は、各個人がビデオ通話を始め、彼らの健康のサイン(例えば、血圧)を監視することを可能にする。更に、彼らは、看護師のような医療職員とビデオ通話をすることができる。更に、(彼らがログインした場合に)医薬品を服用することを促される、等である。デバイスは、例えば、コミュニティについての社会的情報を提供する機能を更に有し得る。デバイスは、アラームを受信し、それらを遠隔位置へ送信するように更に構成されることができるであろう。
【０２２４】
ヘルスケアに関する主な問題のうちの１つは、特に人口統計において、高齢化する人口がある場合に、ヘルスケアの費用である。看護師のような多くの職員が、様々な位置において看護して介護することは、非常に費用がかかる。その結果、多くの場合に、財源資産の不足のために、介護が制限されるか、又は、通常の場合よりも早く、病院のような介護センタに患者を来させることになる。
【０２２５】
本発明の実施形態は、より効率的に且つ高い費用効果で介護を与えることができる、即ち、患者が良い介護を受け、更に、患者を彼らの住居の場所で通常の場合よりも長く維持することができるように、介護を遠隔的に与えることができる、という利点を有すると考えられる。
【０２２６】
管理装置は(監視システム１１のような)遠隔監視システムと管理装置との間のチャネルを可能にするので、これは患者の福祉の密接した監視を容易にする。例えば、患者の自宅においてアラームを発する出来事（alarm incident）がある場合に、医療用アラームが患者によって作動された、又は患者のパラメータが要求制限値の範囲外であることを健康デバイスが示す場合に、システム１１の職員は、先ず最初にオーディオチャネルを開き、患者に話しかけることを試みることによって、何が自宅で起きようとしているかを先ず最初に見付け出すことができる。オーディオが成功しない場合は、次に、何が患者の身に降りかかっているか確かめるために、彼らは(デバイスカメラを介して)ビデオを実施することができる。
【０２２７】
更に、彼らは、自宅のデバイス、例えば、ライト、ドアロックを監視及び制御することができる。従って、これは、職員を送り出すことを必要とせずに、患者に対して多くの処置を取ることを可能にする。もちろん、職員を送り出す必要はないかもしれないが、それまでに多くのオプションを利用できる。更に、患者に対して開かれたチャネルがあるという事実は、医療職員を送り出すことと比較して、応答が迅速になり得ることを意味する。
【０２２８】
本発明に従うシステムは、より高い費用効果のやり方でより良いサービスを与えることができるであろう。
【０２２９】
上述の実施形態において、タブレットのコンポーネントは、特に管理装置のアプリケーションのために設計されている。幾つかの実施形態において、上述の機能のうちの幾つかを与えるように、「既製品（off the shelf）」のタブレットコンピュータをプログラムすることが可能である。
【０２３０】
上述の実施形態において、コードレスフォンは、ドックを介して充電される。コードレスフォンのために、ドック以外に、異なる電話充電器が提供され得る。
【０２３１】
上述の実施形態において、セキュリティ及び健康の信号は、監視システム１１に返るであろう。他の実施形態において、セキュリティは異なるシステムへ行き、健康は監視システム１１へ行ってもよい。
【０２３２】
広範囲に記載された本発明の意図及び範囲から逸脱することなく、特定の実施形態に示されている本発明に対して、多数の変更及び／又は修正が行われ得ることが、当業者に分かるであろう。従って、当該実施形態は、全ての点において例示的であって限定的でないと考えられる。
【図１】
2015527095.tif 000003
【図２】
2015527095.tif 000004
【図３】
2015527095.tif 000005
【図４】
2015527095.tif 000006
【図５】
2015527095.tif 000007
【図６】
2015527095.tif 000008
【図７】
2015527095.tif 000009
【図８】
2015527095.tif 000010
【図９】
2015527095.tif 000011
【図１０】
2015527095.tif 000012
【図１１】
2015527095.tif 000013
【図１２】
2015527095.tif 000014
【図１３（ａ）】
2015527095.tif 000015
【図１３（ｂ）】
2015527095.tif 000016
【図１３（ｃ）】
2015527095.tif 000017
【図１３（ｄ）】
2015527095.tif 000018
【図１３（ｅ）】
2015527095.tif 000019
【図１４】
2015527095.tif 000020
【図１５（ａ）】
2015527095.tif 000021
【図１５（ｂ）】
2015527095.tif 000022
【図１５（ｃ）】
2015527095.tif 000023
【図１５（ｄ）】
2015527095.tif 000024
【図１５（ｅ）】
2015527095.tif 000025
【図１５（ｆ）】
2015527095.tif 000026
【図１５（ｇ）】
2015527095.tif 000027
【図１６】
2015527095.tif 000028
【図１７（ａ）】
2015527095.tif 000029
【図１７（ｂ）】
2015527095.tif 000030
【図１７（ｃ）】
2015527095.tif 000031
【図１８】
2015527095.tif 000032
【図１９（ａ）】
2015527095.tif 000033
【図１９（ｂ）】
2015527095.tif 000034
【図１９（ｃ）】
2015527095.tif 000035
【図１９（ｄ）】
2015527095.tif 000036
【図１９（ｅ）】
2015527095.tif 000037
【図１９（ｆ）】
2015527095.tif 000038
【図１９（ｇ）】
2015527095.tif 000039
【図１９（ｈ）】
2015527095.tif 000040
【図１９（ｉ）】
2015527095.tif 000041
【図１９（ｊ）】
2015527095.tif 000042
【図１９（ｋ）】
2015527095.tif 000043
【図１９（ｌ）】
2015527095.tif 000044
【図１９（ｍ）】
2015527095.tif 000045
【図１９（ｎ）】
2015527095.tif 000046
【図１９（ｏ）】
2015527095.tif 000047
【図１９（ｐ）】
2015527095.tif 000048
【図１９（ｑ）】
2015527095.tif 000049
【図１９（ｒ）】
2015527095.tif 000050
【図１９（ｓ）】
2015527095.tif 000051
【図１９（ｔ）】
2015527095.tif 000052
【図１９（ｕ）】
2015527095.tif 000053
【図１９（ｖ）】
2015527095.tif 000054
【図２０（ａ）】
2015527095.tif 000055
【図２０（ｂ）】
2015527095.tif 000056
【図２０（ｃ）】
2015527095.tif 000057
【図２０（ｄ）】
2015527095.tif 000058
【図２０（ｅ）】
2015527095.tif 000059
【図２０（ｆ）】
2015527095.tif 000060
【図２０（ｇ）】
2015527095.tif 000061
【図２０（ｈ）】
2015527095.tif 000062
【図２０（ｉ）】
2015527095.tif 000063
【図２０（ｊ）】
2015527095.tif 000064
【図２０（ｋ）】
2015527095.tif 000065
【図２０（ｌ）】
2015527095.tif 000066
【図２１】
2015527095.tif 000067
【図２２】
2015527095.tif 000068
【図２３】
2015527095.tif 000069
【図２４】
2015527095.tif 000070
【図２５（ａ）】
2015527095.tif 000071
【図２５（ｂ）】
2015527095.tif 000072
【図２５（ｃ）】
2015527095.tif 000073
【図２５（ｄ）】
2015527095.tif 000074
【図２６】
2015527095.tif 000075
【図２７】
2015527095.tif 000076
【図２８】
2015527095.tif 000077
【図２９】
2015527095.tif 000078
【図３０】
2015527095.tif 000079
【図３１】
2015527095.tif 000080
【図３２】
2015527095.tif 000081
【図３３】
2015527095.tif 000082
【図３４】
2015527095.tif 000083
【図３５】
2015527095.tif 000084
【図３６】
2015527095.tif 000085
【図３７】
2015527095.tif 000086
【図３８】
2015527095.tif 000087
【図３９】
2015527095.tif 000088
【図４０】
2015527095.tif 000089
【図４１】
2015527095.tif 000090
【手続補正書】
【提出日】平成27年2月13日(2015.2.13)
【手続補正１】
【補正対象書類名】特許請求の範囲
【補正対象項目名】全文
【補正方法】変更
【補正の内容】
【特許請求の範囲】
【請求項１】
患者の健康及びセキュリティと彼らの自宅との管理を容易にする健康及びセキュリティ管理装置であって、
前記健康及びセキュリティ管理装置は、
プロセッサを有する処理デバイスと、
メモリと、
遠隔システムと通信するための遠隔通信インターフェイスと、
デバイスとローカルに通信するためのローカル通信インターフェイスと、
前記患者による操作のための患者インターフェイスであって、表示のためのディスプレイスクリーンと、患者の入力のための入力手段とを備えた患者インターフェイスと、
患者の健康についての健康データを取得するように構成されており、且つ前記遠隔通信インターフェイスを介して遠隔システムへこのデータを送信するように構成されている健康監視構成と、
セキュリティデバイスから前記ローカル通信インターフェイスを介して患者のセキュリティデータを取得することを含めて、パーソナルアラームデータとホームセキュリティデータとを含む、患者のセキュリティについてのデータを取得するように構成されており、且つ前記遠隔通信インターフェイスを介して遠隔システムへこのデータを送信するように構成されているセキュリティ監視構成と、
前記患者の自宅におけるホームオートメーションデバイスを制御するためのホームオートメーションデータであって、前記ローカル通信インターフェイスを介して前記ホームオートメーションデバイスへ送信されるホームオートメーションデータを生成するように構成されているホームオートメーション構成であって、遠隔システムからホームオートメーションデバイスの制御のために、前記遠隔システムから前記遠隔通信インターフェイスを介してホームオートメーションデータを受信するように構成されているホームオートメーション構成と、
を具備する、健康及びセキュリティ管理装置。
【請求項２】
前記健康監視構成は、患者の健康パラメータを監視するように構成されているセンサから、データを受信するように構成されている、請求項１に記載の健康及びセキュリティ管理装置。
【請求項３】
前記健康監視構成は、ローカル健康デバイスから前記ローカル通信インターフェイスを介して前記健康データを取得するように構成されている、請求項２に記載の健康及びセキュリティ管理装置。
【請求項４】
前記セキュリティ監視構成は、非常時の状況が起きた場合に前記患者によって作動されるように構成されているパーソナルアラームデバイスから信号を受信するように構成されており、
通信デバイスは、処置のために、アラームを遠隔位置へ通信するように構成されている、請求項１、２、又は３に記載の健康及びセキュリティ管理装置。
【請求項５】
前記セキュリティ監視構成は、ホームセキュリティアラームから信号を受信するように構成されており、
通信デバイスは、アラームを遠隔位置へ通信するように構成されている、請求項１乃至４の何れか1項に記載の健康及びセキュリティ管理装置。
【請求項６】
前記患者インターフェイスは、前記ホームオートメーションデータの患者の制御を可能にするように構成されているホームオートメーションインターフェイスを具備する、請求項１乃至５の何れか１項に記載の健康及びセキュリティ管理装置。
【請求項７】
前記患者インターフェイスは、前記患者が遠隔通信することを可能にするように構成されている通信インターフェイスを具備する、請求項１乃至６の何れか１項に記載の健康及びセキュリティ管理装置。
【請求項８】
前記健康及びセキュリティ管理装置は、ポータブルユニットとドックユニットとを具備するアーキテクチャによって実施され、
前記ポータブルユニットは、前記ドックユニットとドッキングされるように構成されており、
前記ポータブルユニットは、ポータブルになるように、前記ドックユニットから切り離される、請求項１乃至７の何れか１項に記載の健康及びセキュリティ管理装置。
【請求項９】
前記ポータブルユニットは、タッチスクリーンの形態をとったスクリーンインターフェイスを具備する、請求項８に記載の健康及びセキュリティ管理装置。
【請求項１０】
前記ドックユニットは、前記患者によって利用し易いように、前記ポータブルユニットを直立した位置で支えるように構成されている、請求項８又は９に記載の健康及びセキュリティ管理装置。
【請求項１１】
前記ドックユニットは、
前記ポータブルユニットのオーディオ構成と比較して高度な機能の、スピーカ及びマイクロフォンを備えた高度なオーディオ構成、
を具備する、請求項８、９、又は１０に記載の健康及びセキュリティ管理装置。
【請求項１２】
前記ドックユニットは、電源を具備しており、
前記電源は、前記ポータブルユニット及びドックユニットがドッキングされた場合に、前記ポータブルユニットの電源を再充電するように構成されている、請求項８乃至１１の何れか１項に記載の健康及びセキュリティ管理装置。
【請求項１３】
前記ドックユニットは、
老人の又は衰弱した患者にとって比較的に操作し易い比較的に大きなボタンの形態をとった複数のインターフェイス要素、
を具備する、請求項８乃至１２の何れか１項に記載の健康及びセキュリティ管理装置。
【請求項１４】
前記健康及びセキュリティ管理装置の機能は、前記ドックユニットと前記ポータブルユニットとの両者によって実施されることができる、請求項１乃至１３の何れか１項に記載の健康及びセキュリティ管理装置。
【請求項１５】
前記健康及びセキュリティ管理装置は、前記ポータブルユニット及びドックユニットとドッキングされるように構成され、患者の通信を実施するように構成されている、ポータブル電話の形態をとった更なるポータブルユニットを更に具備する、請求項８乃至１４の何れか１項に記載の健康及びセキュリティ管理装置。
【請求項１６】
前記通信インターフェイスは、前記患者がインターネット及びワールドワイドウェブを介してアクセス及び通信することを可能にするブラウザを更に具備する、請求項８乃至１５の何れか１項に記載の健康及びセキュリティ管理装置。
【請求項１７】
前記通信インターフェイスは、異なる経路による通信を可能にする複数の通信モジュールを具備する、請求項１乃至１６の何れか１項に記載の健康及びセキュリティ管理装置。
【請求項１８】
複数の利用可能な通信経路のうちの任意の１つの通信経路がデータを通信するために動作していない場合に、前記通信インターフェイスは、前記複数の利用可能な通信経路のうちの異なる通信経路を試みるように構成されている、請求項１７に記載の健康及びセキュリティ管理装置。
【請求項１９】
遠隔位置における患者の健康及びセキュリティの管理を容易にする監視システムであって、
請求項１乃至１８の何れか１項に記載の健康及びセキュリティ管理装置と通信する監視通信システムを具備しており、
患者の健康についての健康データと、前記患者のセキュリティについてのセキュリティデータと、を受信するように構成されている、監視システム。
【請求項２０】
前記健康及びセキュリティ管理装置の遠隔制御のために制御データを提供するように構成されている、請求項１９に記載の監視システム。
【請求項２１】
患者に関する医療情報と、患者との医療介護者のアポイントメントのような監理情報と、のログをとることを可能にする、医療専門家監理システム、を更に具備する、請求項１９又は２０に記載の監視システム。
【請求項２２】
介護される患者に関係する情報と、前記医療介護者によって実行されるタスクとを記憶する、前記監視システムによってホストされる監理データベース、を更に具備する、請求項２１に記載の監視システム。
【請求項２３】
複数の異なる位置における患者の健康及びセキュリティの管理のために構成されている健康管理システムであって、
請求項１乃至１８の何れか１項に記載の健康及びセキュリティ管理装置と、
請求項１９乃至２２の何れか１項に記載の監視システムと、
を具備する、健康管理システム。
【請求項２４】
在宅の患者の健康及びセキュリティの管理を容易にする健康及びセキュリティ管理装置であって、
前記健康及びセキュリティ管理装置は、
タブレット及びドックのアーキテクチャを有するコンピューティングデバイス、
を具備し、
前記タブレットは、前記ドックとドッキングされ、ポータビリティのために前記ドックから取り外され、
前記タブレット及びドックの両者は、前記患者による前記健康及びセキュリティ管理装置の操作を可能にする患者インターフェイスを含み、
前記健康及びセキュリティ管理装置は、
患者の健康についての健康データを取得するように構成されており、且つ前記健康及びセキュリティ管理装置の遠隔通信インターフェイスを介して遠隔システムへこのデータを送信するように構成されている健康監視構成と、
患者アラームデバイスとホームセキュリティアラームデバイスとから、患者のセキュリティとホームセキュリティとを監視するセキュリティ監視構成と、
を具備する、健康及びセキュリティ管理装置。
【請求項２５】
ドックユニットとドッキングされるように構成されている電話ユニットを更に具備しており、
前記健康及びセキュリティ管理装置は、前記患者が前記電話ユニットを使用して通信することを可能にする音声通信部を含む、請求項２４に記載の健康及びセキュリティ管理装置。
【請求項２６】
前記タブレットは、パーソナル非常時応答ボタンを含むディスプレイを提供するように構成されているタッチスクリーンを具備しており、
ドックユニットは、パーソナル非常時応答アラームを作動させるように構成されているハードボタンを含む、請求項２４又は２５に記載の健康及びセキュリティ管理装置。
【請求項２７】
前記患者が前記タブレットのスクリーンを容易に見ることができるように、前記タブレットが、直立した位置でドッキングされるように構成されている、請求項２４乃至２６の何れか１項に記載の健康及びセキュリティ管理装置。
【請求項２８】
前記健康及びセキュリティ管理装置は、患者ホームオートメーションインターフェイスを具備しており、
前記患者は、前記タブレット上のインターフェイスを介してホームオートメーションデバイスを制御することができる、請求項２４乃至２７の何れか１項に記載の健康及びセキュリティ管理装置。
【手続補正２】
【補正対象書類名】明細書
【補正対象項目名】０００８
【補正方法】変更
【補正の内容】
【０００８】
第１の態様によると、本発明は、患者の健康及びセキュリティと彼らの自宅と管理を容易にする健康及びセキュリティ管理装置であって、管理装置は、プロセッサを有する処理デバイスと、メモリと、遠隔システムと通信するための遠隔通信インターフェイスと、デバイスとローカルに通信するためのローカル通信インターフェイスと、患者による操作のための患者インターフェイスであって、表示のためのディスプレイスクリーンと、患者の入力のための入力手段とを備えた患者インターフェイスと、患者の健康についての健康データを取得するように構成されており、且つ遠隔通信インターフェイスを介して遠隔システムへこのデータを送信するように構成されている健康監視構成と、セキュリティデバイスからローカル通信インターフェイスを介して患者のセキュリティデータを取得することを含めて、パーソナルアラームデータとホームセキュリティデータとを含む、患者のセキュリティについてのデータを取得するように構成されており、且つ遠隔通信インターフェイスを介して遠隔システムへこのデータを送信するように構成されているセキュリティ監視構成と、患者の自宅におけるホームオートメーションデバイスを制御するためのホームオートメーションデータであって、ローカル通信インターフェイスを介してホームオートメーションデバイスへ送信されるホームオートメーションデータを生成するように構成されているホームオートメーション構成であって、遠隔システムからホームオートメーションデバイスの制御のために、遠隔システムから遠隔通信インターフェイスを介してホームオートメーションデータを受信するように構成されているホームオートメーション構成と、を具備する、健康及びセキュリティ管理装置を提供する。
【手続補正３】
【補正対象書類名】明細書
【補正対象項目名】０００９
【補正方法】変更
【補正の内容】
【０００９】
実施形態において、健康監視構成は、患者の健康パラメータを監視するように構成されているセンサから、データを受信するように構成され得る。このようなセンサは、血圧センサと、心拍数モニタと、他のセンサとを含み得る。健康監視構成は、センサによって生成された健康データを取得するように構成されており、通信インターフェイスは、患者のパラメータの遠隔監視のために、データを遠隔位置へ送信するように構成されている。遠隔に位置する医療専門家は、監視されているパラメータから患者の健康を決定し、必要な任意の処置を取ることができ得る。
【手続補正４】
【補正対象書類名】明細書
【補正対象項目名】００１２
【補正方法】変更
【補正の内容】
【００１２】
従って、本発明の少なくとも１つの実施形態の健康及びセキュリティ管理装置は、それが、セキュリティの監視と、健康パラメータの監視と、ホームオートメーションの制御とを単一のシステムに集束させるという利点を有する。従って、患者のセキュリティ及び健康を、彼らの自宅から遠く離れて監視することができる。都合の良いことに、これは、患者のセキュリティを維持し、要求された場合にアラームが遠隔に伝えられることを可能にするばかりでなく、血圧のような慣例的な健康パラメータの測定値を取るための医療専門家による訪問の必要を減らし得る。都合の良いことに、ＰＥＲＳシステムのような、特定の機能を行なう、住居に現在存在するシステムは、患者の健康及びセキュリティに対する全ての機能を行なうために、単一の、総体的な（holistic）健康及びセキュリティ装置によって置き換えられ得る。
【手続補正５】
【補正対象書類名】明細書
【補正対象項目名】００１４
【補正方法】変更
【補正の内容】
【００１４】
実施形態において、管理装置は、患者インターフェイスを具備し、患者による装置の制御を可能にする。実施形態において、患者インターフェイスは、患者が遠隔通信することを可能にするように構成されている患者通信インターフェイスを具備する。患者は、患者通信インターフェイスを介して、健康パラメータと、健康問題と、任意の他の情報とについて、彼らにアドバイスする医療専門家と通信し得る。更に、医療専門家から情報を受信する。実施形態では、患者通信インターフェイスは、オーディオ及びビデオのインターフェイスを具備する。
【手続補正６】
【補正対象書類名】明細書
【補正対象項目名】００１５
【補正方法】変更
【補正の内容】
【００１５】
実施形態において、ホームオートメーション構成は、洗濯機と、テレビジョンと、冷蔵庫と、エアコンディショニングと、他のものとのような、自宅におけるデバイスの制御を容易にするように構成されている。ホームオートメーション構成は、自宅におけるデバイスを制御する制御デバイス及び制御センサとインターフェイスするように構成され得る。従って、この実施形態における管理装置は、ホームオートメーションのために使用でき、患者の健康の監視と、健康パラメータの遠隔監視と、セキュリティとのために、遠隔位置と遠隔通信する、単一の監視システム、例えばパーソナル非常時応答システムを提供する。ホームオートメーション構成は、遠隔位置から操作されるように構成されている。職員は、遠隔位置から、例えば、患者の住居における照明、暖房、及び他のシステム／デバイスを制御できる。
【手続補正７】
【補正対象書類名】明細書
【補正対象項目名】００２０
【補正方法】変更
【補正の内容】
【００２０】
実施形態において、通信インターフェイスは、ポータブルデバイス及びドックにおいて、１つ以上の通信モジュールを具備し得る。通信の冗長性を可能にするために、通信モジュールは、複数の異なる通信設備の要求を満たし得る。これは、ＰＥＲＳのような非常時応答システムにおいて特に重要である。実施形態において、通信モジュールは、モバイル通信(例えば、ＧＳＭ)と、インターネットを介した通信と、ＳＭＳ通信と、他のものとを可能にして、遠隔位置への通信の冗長性を可能にし、任意のパーソナル応答アラームが送信されることを保証し得る。実施形態において、通信モジュールは、ポータブルデバイスとドックとの間、及び更に、住居におけるセンサ／制御デバイスと管理装置との間、における通信をローカルに可能にするために、ワイファイ設備とブルートゥース（登録商標）とを含み得る。
【手続補正８】
【補正対象書類名】明細書
【補正対象項目名】００２７
【補正方法】変更
【補正の内容】
【００２７】
健康及びセキュリティ管理装置は、遠隔位置における監視システムとデータを通信するように構成されている。監視システムは、健康及びセキュリティ管理装置との通信を容易にするために、通信ゲートウエイを備えた適切に構成されたコンピューティングシステムを具備し得る。実施形態において、複数の患者を監視することができるように、監視システムは、複数の健康及びセキュリティ管理装置と通信するように構成されている。
【手続補正９】
【補正対象書類名】明細書
【補正対象項目名】００３２
【補正方法】変更
【補正の内容】
【００３２】
実施形態において、監視システムは、管理装置の遠隔制御のための制御データを提供するように構成されている。患者のホームシステムの遠隔制御のために、監視システムから制御データが提供され得る。例えば、ドアロックが遠隔制御されてもよく、ライトが遠隔制御されてもよく、ヒータが遠隔制御されてもよい。ホームオートメーションシステムに接続されている任意のものが、監視システムから遠隔制御され得る。人が、例えば障害がある又は衰弱していて、彼ら自身で制御を扱うことが困難である場合に、或いは患者が非常時の状況にある場合に、これは、都合の良いことにホームシステムの制御を可能にする。
【手続補正１０】
【補正対象書類名】明細書
【補正対象項目名】００３６
【補正方法】変更
【補正の内容】
【００３６】
第４の態様によると、本発明は、提供する。
【手続補正１１】
【補正対象書類名】明細書
【補正対象項目名】００３７
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】削除
【補正の内容】
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】削除
【補正の内容】
【手続補正２２】
【補正対象書類名】明細書
【補正対象項目名】００５４
【補正方法】削除
【補正の内容】
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】削除
【補正の内容】
【手続補正２５】
【補正対象書類名】明細書
【補正対象項目名】００５７
【補正方法】削除
【補正の内容】
【手続補正２６】
【補正対象書類名】明細書
【補正対象項目名】０２３２
【補正方法】変更
【補正の内容】
【０２３２】
広範囲に記載された本発明の意図及び範囲から逸脱することなく、特定の実施形態に示されている本発明に対して、多数の変更及び／又は修正が行われ得ることが、当業者に分かるであろう。従って、当該実施形態は、全ての点において例示的であって限定的でないと考えられる。
以下に、本願出願時の特許請求の範囲に記載された発明を付記する。
[１]患者の健康及びセキュリティの管理を容易にする健康及びセキュリティ管理装置であって、
前記健康及びセキュリティ管理装置は、
患者の住居と、患者が遠隔監視され得る遠隔位置との間において通信するための通信デバイスと、
患者の健康についての健康データを取得するように構成されている健康監視構成と、
ここで、前記通信デバイスは、前記健康データを遠隔位置へ通信するように構成されている、
患者のセキュリティについてのセキュリティデータを取得するように構成されているセキュリティ監視構成と、
ここで、前記通信デバイスは、前記セキュリティデータを前記遠隔位置へ通信するように構成されている、
を具備する、健康及びセキュリティ管理装置。
[２]前記健康監視構成は、患者の健康パラメータを監視するように構成されているセンサから、データを受信するように構成されている、前記[１]に記載の健康及びセキュリティ管理装置。
[３]前記セキュリティ監視構成は、非常時の状況が起きた場合に患者によって作動されるように構成されているパーソナルアラームデバイスから信号を受信するように構成されており、
前記通信デバイスは、処置のために、アラームを前記遠隔位置へ通信するように構成されている、前記[１]又は[２]に記載の健康及びセキュリティ管理装置。
[４]前記セキュリティ監視構成は、ホームセキュリティアラームから信号を受信するように構成されており、
前記通信デバイスは、アラームを前記遠隔位置へ通信するように構成されている、前記[１]、[２]、又は[３]に記載の健康及びセキュリティ管理装置。
[５]自宅におけるデバイスの制御を容易にするように構成されている、ホームオートメーション構成を具備する、前記[１]乃至[４]の何れか１つに記載の健康及びセキュリティ管理装置。
[６]前記ホームオートメーション構成は、自宅におけるデバイスを制御する制御デバイス及び制御センサとインターフェイスするように構成されている、前記[５]に記載の健康及びセキュリティ管理装置。
[７]前記ホームオートメーション構成は、前記遠隔位置から制御されるように構成されている、前記[５]又は[６]に記載の健康及びセキュリティ管理装置。
[８]患者による前記健康及びセキュリティ管理装置の制御を可能にする患者インターフェイスを具備し、
前記患者インターフェイスは、患者が遠隔通信することを可能にするように構成されている通信インターフェイスを具備する、前記[１]乃至[７]の何れか１つに記載の健康及びセキュリティ管理装置。
[９]ポータブルユニットとドックユニットとを具備し、
前記ポータブルユニットは、前記ドックユニットとドッキングされるように構成されている、前記[１]乃至[８]の何れか１つに記載の健康及びセキュリティ管理装置。
[１０]前記ポータブルユニットは、タッチスクリーンの形態をとったスクリーンインターフェイスを具備する、前記[９]に記載の健康及びセキュリティ管理装置。
[１１]前記ドックユニットは、患者によって利用し易いように、前記ポータブルユニットを直立した位置で支えるように構成されている、前記[９]又は[１０]に記載の健康及びセキュリティ管理装置。
[１２]前記ドックユニットは、
前記ポータブルユニットのオーディオ構成と比較して高度な機能の、スピーカ及びマイクロフォンを備えた高度なオーディオ構成、
を具備する、前記[９]、[１０]、又は[１１]に記載の健康及びセキュリティ管理装置。
[１３]前記ドックユニットは、電源を具備しており、
前記電源は、前記ポータブルユニット及びドックユニットがドッキングされた場合に、前記ポータブルユニットの電源を再充電するように構成されている、前記[９]乃至[１２]の何れか１つに記載の健康及びセキュリティ管理装置。
[１４]前記ドックユニットは、
老人の又は衰弱した患者にとって比較的に操作し易い比較的に大きなボタンの形態をとった複数のインターフェイス要素、
を具備する、前記[９]乃至[１３]の何れか１つに記載の健康及びセキュリティ管理装置。
[１５]ポータブル電話の形態をとった更なるポータブルユニットを具備する、前記[７]乃至[１２]の何れか１つに記載の健康及びセキュリティ管理装置。
[１６]前記通信デバイスは、異なる経路による通信を可能にする複数の通信モジュールを具備する、前記[１]乃至[１５]の何れか１つに記載の健康及びセキュリティ管理装置。
[１７]複数の利用可能な通信経路のうちの任意の１つの通信経路がデータを通信するために動作していない場合に、前記通信デバイスは、前記複数の利用可能な通信経路のうちの異なる通信経路を試みるように構成されている、前記[１６]に記載の健康及びセキュリティ管理装置。
[１８]遠隔位置における患者の健康及びセキュリティの管理を容易にする監視システムであって、
前記[１]乃至[１７]の何れか１つに記載の健康及びセキュリティ管理装置と通信する監視通信システムを具備しており、
患者の健康についての健康データと、患者のセキュリティについてのセキュリティデータと、を受信するように構成されている、監視システム。
[１９]前記健康及びセキュリティ管理装置の遠隔制御のために制御データを提供するように構成されている、前記[１８]に記載の監視システム。
[２０]患者に関する医療情報と、患者との医療介護者のアポイントメントのような監理情報と、のログをとることを可能にする、医療専門家監理システム、を更に具備する、前記[１８]又は[１９]に記載の監視システム。
[２１]介護される患者に関係する情報と、前記医療介護者によって実行されるタスクとを記憶する、前記監視システムによってホストされる監理データベース、を更に具備する、前記[２０]に記載の監視システム。
[２２]複数の異なる位置における患者の健康及びセキュリティの管理のために構成されている健康管理システムであって、
前記[１]乃至[１７]の何れか１つに記載の健康及びセキュリティ管理装置と、
前記[１８]乃至[２１]の何れか１つに記載の監視システムと、
を具備する、健康管理システム。
[２３]患者の健康及びセキュリティの管理を容易にする健康及びセキュリティ管理装置であって、
前記健康及びセキュリティ管理装置は、
患者によって持ち運ばれるように構成されているポータブルユニットと、
ドックユニットと、
を具備し、
前記ポータブルユニットとドックユニットは、一緒にドッキングされるように構成されている、健康及びセキュリティ管理装置。
[２４]患者が遠隔監視され得る遠隔位置へ、健康データとセキュリティデータとを通信するように構成されている通信デバイスを具備する、前記[２３]に記載の健康及びセキュリティ管理装置。
[２５]患者の住居における患者の健康及びセキュリティの管理を容易にする方法であって、
患者の健康についての健康データと、患者のセキュリティについてのセキュリティデータとを、同じシステムを介して遠隔位置へ通信するステップ、
を具備する、方法。
[２６]患者に対する、健康及びホームオートメーションの管理を容易にする、健康及びホームオートメーション管理装置であって、
患者の住居と、患者が遠隔監視され得る遠隔位置との間における通信のための通信デバイスと、
患者の健康についての健康データを取得するように構成されている健康監視構成と、
ここで、前記通信デバイスは、前記健康データを前記遠隔位置へ通信するように構成されている、
自宅におけるデバイスの制御を容易にするように構成されているホームオートメーション構成と、
を具備する、健康及びホームオートメーション管理装置。
[２７]患者に対する、セキュリティ及びホームオートメーションの管理を容易にする、セキュリティ及びホームオートメーション管理装置であって、
患者が遠隔監視され得る遠隔位置と、患者の住居と、の間における通信のための通信デバイスと、
患者のセキュリティについてのセキュリティデータを取得するように構成されているセキュリティ監視構成と、
ここで、前記通信デバイスは、前記セキュリティデータを前記遠隔位置へ通信するように構成されている、
自宅におけるデバイスの制御を容易にするように構成されているホームオートメーション構成と、
を具備する、セキュリティ及びホームオートメーション管理装置。
【国際調査報告】
2015527095.tif 000091
2015527095.tif 000092
2015527095.tif 000093
2015527095.tif 000094
2015527095.tif 000095